(57)【要約】【課題】Ｚ方向への深度拡張が可能な形状測定装置を提供する。【解決手段】第一深度測定範囲において、立体形状データ生成部により生成された第一立体形状データと、第一立体形状データと同じ測定範囲で、光軸方向駆動部１４６で第一深度測定範囲と一部が重複するようにシフトされた第二深度測定範囲において、立体形状データ生成部により生成された第二立体形状データとをそれぞれ生成する画像生成部と、第一立体形状データと第二立体形状データを合成する合成立体形状データ生成部２１６であって、第一深度測定範囲と第二深度測定範囲の重複する範囲において、第一立体形状データと第二立体形状データとが対応する測定範囲内の画素の有する高さ情報が真値に近いか否かの信頼性を示す信頼性指標に基づいて、第一立体形状データと第二立体形状データのいずれか又は両方の画素の採否を決定してなる合成立体形状データ生成部２１６とを備える。【選択図】図１
2019190919.tif 000002
【特許請求の範囲】
【請求項１】
測定対象物を載置するステージと、
前記ステージ上に載置された測定対象物に対し、パターン光を投光する投光部と、
前記投光部から照射され、測定対象物から反射されたパターン光を受光する所定の焦点深度を有する受光部と、
前記ステージを前記受光部に対して該受光部の光軸方向に相対的に移動させることで、前記焦点深度により定まる測定可能な高さ範囲である深度測定範囲をシフトさせる光軸方向駆動部と、
前記受光部が受光した複数のパターン光に基づいて、前記受光部の光軸方向と直交するステージ平面における測定範囲内の位置毎に、前記深度測定範囲内の測定対象物の高さ情報を有する立体形状データを生成する立体形状データ生成部であって、
第一深度測定範囲において、第一立体形状データを生成し、
前記第一立体形状データと同じ測定範囲で、前記光軸方向駆動部で前記第一深度測定範囲と一部が重複するようにシフトされた第二深度測定範囲において、第二立体形状データを
を生成する立体形状データ生成部と、
前記第一立体形状データと第二立体形状データを合成することにより、合成立体形状データを生成する立体形状データ合成部であって、
前記第一立体形状データと第二立体形状データが前記測定範囲内の同一の位置に高さ情報を有する場合、前記第一立体形状データに対応する高さ情報が真値に近いか否かの信頼性を示す信頼性指標と、第二立体形状データに対応する高さ情報が真値に近いか否かの信頼性を示す信頼性指標とに基づいて、前記第一立体形状データと第二立体形状データのいずれか又は両方の高さ情報の採否を決定してなる合成立体形状データ生成部と、
を備える形状測定装置。
【請求項２】
請求項１に記載の形状測定装置であって、
前記第一立体形状データは各画素が高さ情報を有する第一高さ画像であり、前記第二立体形状データは各画素が高さ情報を有する第二高さ画像であり、
前記合成立体形状データ生成部が、前記第一深度測定範囲と第二深度測定範囲の重複する範囲において、前記第一高さ画像と第二高さ画像とが対応する測定範囲内の画素について、
前記第一高さ画像の画素が有効で、かつ前記第二高さ画像の画素が無効な場合に、前記第一高さ画像の画素の有する高さ情報を、当該画素の画素値とし、
前記第一高さ画像の画素が無効で、かつ前記第二高さ画像の画素が有効な場合に、前記第二高さ画像の画素が有する高さ情報を、当該画素の画素値とする形状測定装置。
【請求項３】
請求項２に記載の形状測定装置であって、
前記合成立体形状データ生成部が、前記第一高さ画像と第二高さ画像で所定以上の差分がある画素を抽出するよう構成してなる形状測定装置。
【請求項４】
請求項３に記載の形状測定装置であって、
前記合成立体形状データ生成部が、前記差分として抽出された画素について、前記信頼性指標が高い画素値を採用するよう構成してなる形状測定装置。
【請求項５】
請求項２〜４のいずれか一項に記載の形状測定装置であって、
前記合成立体形状データ生成部が、前記信頼性指標に基づいて重み付けを行うことにより、前記第一高さ画像と第二高さ画像を合成するよう構成してなる形状測定装置。
【請求項６】
請求項２〜５のいずれか一項に記載の形状測定装置であって、
前記合成立体形状データ生成部が、前記信頼性指標を、前記受光部の焦点位置からの距離としてなる形状測定装置。
【請求項７】
請求項６に記載の形状測定装置であって、
前記合成立体形状データ生成部が、前記第一深度測定範囲と第二深度測定範囲の重複する範囲において、前記第一高さ画像と第二高さ画像とが対応する測定範囲内の画素について、前記受光部の焦点位置からの距離が近い方を採用する、又は重み付けを重くするよう構成してなる形状測定装置。
【請求項８】
請求項２〜５のいずれか一項に記載の形状測定装置であって、
前記合成立体形状データ生成部が、ある画素の前記信頼性指標を、前記立体形状データを生成する元となった、前記受光部でパターン光を受光したパターン画像における、対応する画素と、該画素の周囲に位置する画素とのコントラストとしてなる形状測定装置。
【請求項９】
請求項２〜５のいずれか一項に記載の形状測定装置であって、
前記合成立体形状データ生成部は、前記信頼性指標に基づいて、前記第一高さ画像又は第二高さ画像の画素値のいずれかを採用するよう構成してなる形状測定装置。
【請求項１０】
請求項２〜５のいずれか一項に記載の形状測定装置であって、
前記合成立体形状データ生成部は、前記頼性指標を用いた重み付け加算平均に基づいて、高さ情報を演算するよう構成してなる形状測定装置。
【請求項１１】
請求項３に記載の形状測定装置であって、
前記合成立体形状データ生成部は、前記第一高さ画像と第二高さ画像から抽出された差分が、
所定値以上の場合には、前記信頼性指標に基づいて、前記第一高さ画像又は第二高さ画像の高さ情報のいずれかを採用し、
所定値以下の場合には、前記頼性指標を用いた重み付け加算平均に基づいて、前記第一高さ画像又は第二高さ画像の画素値から高さ情報を演算するよう構成してなる形状測定装置。
【請求項１２】
請求項１〜１１のいずれか一項に記載の形状測定装置であって、
前記投光部は、
前記ステージ上に載置された測定対象物に対し、第一方向から第一パターン光を照射する第一投光部と、
前記ステージ上に載置された測定対象物に対し、第二方向から第二パターン光を照射する第二投光部とを備え、
前記受光部は、
前記第一投光部から照射され、測定対象物から反射された第一パターン光を受光して第一受光データを出力し、
前記第二投光部から照射され、測定対象物から反射された第二パターン光を受光して第二受光データを出力し、
前記合成立体形状データ生成部は、
前記受光部が受光した第一受光データに基づいて、測定対象物の第一方向立体形状データを生成し、
前記受光部が受光した第二受光データに基づいて、測定対象物の第二方向立体形状データを生成し、
前記ステージ上の前記受光部の測定範囲内に、前記第一投光部及び第二投光部からパターン光が照射可能な高さ範囲を測定高さ範囲とし、該測定高さ範囲内の高さデータを有する前記第一立体形状データと前記第二立体形状データを合成して、合成立体形状データを生成してなる形状測定装置。
【請求項１３】
請求項１２に記載の形状測定装置であって、
前記合成立体形状データ生成部は、
前記第一形状データが、前記第一投光部及び第二投光部からパターン光が照射されて得られた立体形状データである場合、
前記第二形状データも、前記第一投光部及び第二投光部からパターン光が照射されて得られた立体形状データとするよう構成してなる形状測定装置。
【請求項１４】
請求項１２に記載の形状測定装置であって、
前記合成立体形状データ生成部は、
前記第一立体形状データが、前記第一投光部又は第二投光部のいずれか一方からパターン光が照射されて得られた立体形状データである場合、
前記第二立体形状データも、前記第一投光部又は第二投光部のいずれか一方からパターン光が照射されて得られた立体形状データとするよう構成してなる形状測定装置。
【請求項１５】
請求項１〜１４のいずれか一項に記載の形状測定装置であって、さらに、
前記ステージと前記受光部の光軸方向との相対的な距離を示すスケール値を出力するためのスケールユニットを備え、
前記合成立体形状データ生成部は、各立体形状データが生成された際の前記スケールユニットのスケール値を記憶し、立体形状データを合成する際に各立体形状データの画素値を前記スケール値に基づいてオフセットして合成するよう構成してなる形状測定装置。
【請求項１６】
請求項１〜１５のいずれか一項に記載の形状測定装置であって、さらに、
測定対象物の光学画像を撮像するための照明光を照射する照明光出力部と、
測定対象物を光学的に撮像したテクスチャ画像を保存するためのテクスチャ画像記憶部と
を備える形状測定装置。
【請求項１７】
測定対象物の高さ情報を含む立体形状データを生成することで形状を測定する形状測定方法であって、
測定の対象となる測定対象物をステージ上に載置して、該測定対象物に対し、投光部からパターン光を照射し、測定対象物で反射されたパターン光を、受光部で測定可能な高さ範囲である深度測定範囲を第一深度測定範囲として、受光部で受光し、前記受光部が受光した複数のパターン光に基づいて、前記受光部の光軸方向と直交するステージ平面における測定範囲内に存在する画素毎に、前記第一深度測定範囲内の測定対象物の第一立体形状データを、立体形状データ生成部により生成する工程と、
前記ステージを前記受光部に対して該受光部の光軸方向に相対的に移動させることで、前記深度測定範囲から、該第一深度測定範囲と一部が重複する第二深度測定範囲にシフトさせる工程と、
測定対象物に対し、前記投光部からパターン光を照射し、測定対象物で反射されたパターン光を、第二深度測定範囲の受光部で受光し、前記受光部が受光した複数のパターン光に基づいて、前記受光部の光軸方向と直交する測定範囲内に存在する画素毎に、前記第二深度測定範囲内の測定対象物の第二立体形状データを、立体形状データ生成部により生成する工程と、
前記第一深度測定範囲と第二深度測定範囲の重複する範囲において、前記第一立体形状データと第二立体形状データとが対応する測定範囲内の画素の有する高さ情報が真値に近いか否かの信頼性を示す信頼性指標に基づいて、前記第一立体形状データと第二立体形状データのいずれか又は両方の画素の採否を決定して、前記第一立体形状データと第二立体形状データを合成立体形状データ生成部で合成する工程と、
を含む形状測定方法。
【請求項１８】
測定対象物の高さ情報を含む立体形状データを生成することで形状を測定するための形状測定プログラムであって、
測定の対象となる測定対象物をステージ上に載置した状態で、該測定対象物に対し、投光部からパターン光を照射し、測定対象物で反射されたパターン光を、受光部で測定可能な高さ範囲である深度測定範囲を第一深度測定範囲として、受光部で受光し、前記受光部が受光した複数のパターン光に基づいて、前記受光部の光軸方向と直交するステージ平面における測定範囲内に存在する画素毎に、前記第一深度測定範囲内の測定対象物の第一立体形状データを、立体形状データ生成部により生成する機能と、
前記ステージを前記受光部に対して該受光部の光軸方向に相対的に移動させることで、前記深度測定範囲から、該第一深度測定範囲と一部が重複する第二深度測定範囲にシフトさせる機能と、
測定対象物に対し、前記投光部からパターン光を照射し、測定対象物で反射されたパターン光を、第二深度測定範囲の受光部で受光し、前記受光部が受光した複数のパターン光に基づいて、前記受光部の光軸方向と直交する測定範囲内に存在する画素毎に、前記第二深度測定範囲内の測定対象物の第二立体形状データを、立体形状データ生成部により生成する機能と、
前記第一深度測定範囲と第二深度測定範囲の重複する範囲において、前記第一立体形状データと第二立体形状データとが対応する測定範囲内の画素の有する高さ情報が真値に近いか否かの信頼性を示す信頼性指標に基づいて、前記第一立体形状データと第二立体形状データのいずれか又は両方の画素の採否を決定して、前記第一立体形状データと第二立体形状データを合成立体形状データ生成部で合成する機能と、
をコンピュータに実現させるための形状測定プログラム。
【請求項１９】
請求項１８に記載のプログラムを記録したコンピュータで読み取り可能な記録媒体又は記録した機器。
【発明の詳細な説明】
【技術分野】
【０００１】
本発明は、形状測定装置、形状測定方法、形状測定プログラム及びコンピュータで読み取り可能な記録媒体並びに記録した機器に関する。
【背景技術】
【０００２】
三角測距の原理を用いたパターン投影法により、測定対象物（ワーク）の表面の形状を測定する形状測定装置が知られている（例えば特許文献１）。このような形状測定装置では、短時間でワークの三次元形状を測定することが可能である。
【０００３】
しかしながら、深度測定範囲は視野及び測定分解能とトレードオフの関係にあるため、十分な視野及び分解能の立体形状データを取得しようとすると、深度測定範囲が限定されるという問題があった。
【０００４】
特許文献１に、従来の形状測定装置の一例を示す。この形状測定装置は、深度測定範囲を変化させて、得られた複数の測定データを合成する技術を開示している。これにより、一度に測定ができない複数の測定データを合成することで、高さ方向の深度測定範囲を拡張することができる。
【０００５】
しかしながら、この方法では使用者が求める深度測定範囲内の測定結果を取得するために、どの位置で何回測定を行えばよいかを直感的に把握できないという問題があった。このため、予め取得したワークの立体形状データを表示し、表示された立体形状データ上に１度の測定で測定が可能な範囲を表示するようにしている。ただし特許文献１の方法では、予めワークの立体形状データを取得する必要があり、処理時間が長くなることがあった。また使用者に手間がかかる問題もあった。
【先行技術文献】
【特許文献】
【０００６】
【特許文献１】特開２０１４−０９２４９０号公報
【発明の概要】
【発明が解決しようとする課題】
【０００７】
本発明は、従来のこのような問題点に鑑みてなされたものである。本発明の目的の一は、Ｚ方向への深度拡張が可能な形状測定装置、計測測定方法、形状測定プログラム並びにコンピュータで読み取り可能な記録媒体を提供することにある。
【課題を解決するための手段及び発明の効果】
【０００８】
上記の目的を達成するために、本発明の第１の側面に係る形状測定装置によれば、測定対象物を載置するステージと、前記ステージ上に載置された測定対象物に対し、パターン光を投光する投光部と、前記投光部から照射され、測定対象物から反射されたパターン光を受光する所定の焦点深度を有する受光部と、前記ステージを前記受光部に対して該受光部の光軸方向に相対的に移動させることで、前記焦点深度により定まる測定可能な高さ範囲である深度測定範囲をシフトさせる光軸方向駆動部と、前記受光部が受光した複数のパターン光に基づいて、前記受光部の光軸方向と直交するステージ平面内に存在する画素毎に、前記深度測定範囲内の測定対象物の高さ画像を生成する画像生成部であって、第一深度測定範囲において、前記立体形状データ生成部により生成された第一高さ画像と、前記第一高さ画像と同じステージ平面内で、前記光軸方向駆動部で前記第一深度測定範囲と一部が重複するようにシフトされた第二深度測定範囲において、前記立体形状データ生成部により生成された第二高さ画像とをそれぞれ生成する画像生成部と、前記第一高さ画像と第二高さ画像を合成する合成立体形状データ生成部であって、前記第一深度測定範囲と第二深度測定範囲の重複する範囲において、前記第一高さ画像と第二高さ画像とが対応するステージ平面内の画素の有する高さ情報が真値に近いか否かの信頼性を示す信頼性指標に基づいて、前記第一高さ画像と第二高さ画像のいずれか又は両方の画素の採否を決定してなる合成立体形状データ生成部とを備えることができる。上記構成により、複数の高さ画像を深度方向に連結するに際して、重複する領域における高さ情報の信頼性を高めた合成高さ画像を得ることができる。
【０００９】
また、本発明の第２の側面に係る形状測定装置によれば、上記の構成に加えて、前記合成高さ画像生成部が、前記第一深度測定範囲と第二深度測定範囲の重複する範囲において、前記第一高さ画像と第二高さ画像とが対応する直交測定範囲内の画素について、前記第一高さ画像の画素が有効で、かつ前記第二高さ画像の画素が無効な場合に、前記第一高さ画像の画素の有する高さ情報を、当該画素の画素値とし、前記第一高さ画像の画素が無効で、かつ前記第二高さ画像の画素が有効な場合に、前記第二高さ画像の画素が有する高さ情報を、当該画素の画素値とすることができる。上記構成により、複数の高さ画像を深度方向に連結するに際して、重複する領域における高さ情報について、欠損した画素を補間した合成高さ画像を得ることができる。
【００１０】
さらに、本発明の第３の側面に係る形状測定装置によれば、上記何れかの構成に加えて、前記合成高さ画像生成部が、前記第一高さ画像と第二高さ画像で所定以上の差分がある画素を抽出するよう構成できる。
【００１１】
さらにまた、本発明の第４の側面に係る形状測定装置によれば、上記何れかの構成に加えて、前記合成高さ画像生成部が、前記差分として抽出された画素について、前記信頼性指標が高い画素値を採用するよう構成できる。
【００１２】
さらにまた、本発明の第５の側面に係る形状測定装置によれば、上記何れかの構成に加えて、前記合成高さ画像生成部が、前記信頼性指標に基づいて重み付けを行うことにより、前記第一高さ画像と第二高さ画像を合成するよう構成できる。
【００１３】
さらにまた、本発明の第６の側面に係る形状測定装置によれば、上記何れかの構成に加えて、前記合成高さ画像生成部が、前記信頼性指標を、前記受光部の焦点位置からの距離とすることができる。
【００１４】
さらにまた、本発明の第７の側面に係る形状測定装置によれば、上記何れかの構成に加えて、前記合成高さ画像生成部が、前記第一深度測定範囲と第二深度測定範囲の重複する範囲において、前記第一高さ画像と第二高さ画像とが対応する直交測定範囲内の画素について、前記受光部の焦点位置からの距離が近い方を採用する、又は重み付けを重くするよう構成できる。
【００１５】
さらにまた、本発明の第８の側面に係る形状測定装置によれば、上記何れかの構成に加えて、前記合成高さ画像生成部が、ある画素の前記信頼性指標を、前記高さ画像を生成する元となった、前記受光部でパターン光を受光したパターン画像における、対応する画素と、該画素の周囲に位置する画素とのコントラストとすることができる。
【００１６】
さらにまた、本発明の第９の側面に係る形状測定装置によれば、上記何れかの構成に加えて、前記合成高さ画像生成部は、前記信頼性指標に基づいて、前記第一高さ画像又は第二高さ画像の画素値のいずれかを採用するよう構成できる。
【００１７】
さらにまた、本発明の第１０の側面に係る形状測定装置によれば、上記何れかの構成に加えて、前記合成高さ画像生成部は、前記頼性指標を用いた重み付け加算平均に基づいて、高さ情報を演算するよう構成できる。
【００１８】
さらにまた、本発明の第１１の側面に係る形状測定装置によれば、上記何れかの構成に加えて、前記合成高さ画像生成部は、前記第一高さ画像と第二高さ画像から抽出された差分が、所定値以上の場合には、前記信頼性指標に基づいて、前記第一高さ画像又は第二高さ画像の高さ情報のいずれかを採用し、所定値以下の場合には、前記頼性指標を用いた重み付け加算平均に基づいて、前記第一高さ画像又は第二高さ画像の画素値から高さ情報を演算するよう構成できる。
【００１９】
さらにまた、本発明の第１２の側面に係る形状測定装置によれば、上記何れかの構成に加えて、前記投光部は、前記ステージ上に載置された測定対象物に対し、第一方向から第一パターン光を照射する第一投光部と、前記ステージ上に載置された測定対象物に対し、第二方向から第二パターン光を照射する第二投光部とを備え、前記受光部は、前記第一投光部から照射され、測定対象物から反射された第一パターン光を受光して第一受光データを出力し、前記第二投光部から照射され、測定対象物から反射された第二パターン光を受光して第二受光データを出力し、前記合成高さ画像生成部は、前記受光部が受光した第一受光データに基づいて、測定対象物の第一高さ画像を生成し、前記受光部が受光した第二受光データに基づいて、測定対象物の第二高さ画像を生成し、前記ステージ上の前記受光部の直交測定範囲内に、前記第一投光部及び第二投光部からパターン光が照射可能な高さ範囲を測定高さ範囲とし、該測定高さ範囲内の高さデータを有する前記第一高さ画像と前記第二高さ画像を合成して、合成高さ画像を生成できる。
【００２０】
さらにまた、本発明の第１３の側面に係る形状測定装置によれば、上記何れかの構成に加えて、前記合成高さ画像生成部は、前記第一高さ画像が、前記第一投光部及び第二投光部からパターン光が照射されて得られた高さ画像である場合、第二画像も、前記第一投光部及び第二投光部からパターン光が照射されて得られた高さ画像とするよう構成できる。
【００２１】
さらにまた、本発明の第１４の側面に係る形状測定装置によれば、上記何れかの構成に加えて、前記合成高さ画像生成部は、前記第一高さ画像が、前記第一投光部又は第二投光部のいずれか一方からパターン光が照射されて得られた高さ画像である場合、第二画像も、前記第一投光部又は第二投光部のいずれか一方からパターン光が照射されて得られた高さ画像とするよう構成できる。
【００２２】
さらにまた、本発明の第１５の側面に係る形状測定装置によれば、上記何れかの構成に加えて、さらに、前記ステージと前記受光部の光軸方向との相対的な距離を示すスケール値を出力するためのスケールユニットを備え、前記合成高さ画像生成部は、各高さ画像が生成された際の前記スケールユニットのスケール値を記憶し、高さ画像を合成する際に各高さ画像の画素値を前記スケール値に基づいてオフセットして合成するよう構成できる。
【００２３】
さらにまた、本発明の第１６の側面に係る形状測定装置によれば、上記何れかの構成に加えて、さらに、測定対象物の光学画像を撮像するための照明光を照射する照明光出力部と、測定対象物を光学的に撮像したテクスチャ画像を保存するためのテクスチャ画像記憶部とを備えることができる。上記構成により、投光部とは別に設けられた照明光出力部で照明された測定対象物の光学画像をテクスチャ画像として保存することができる。
【００２４】
さらにまた、本発明の第１７の側面に係る形状測定方法によれば、測定対象物の高さ情報を含む高さ画像を生成することで形状を測定する形状測定方法であって、測定の対象となる測定対象物をステージ上に載置して、該測定対象物に対し、投光部からパターン光を照射し、測定対象物で反射されたパターン光を、受光部で測定可能な高さ範囲である深度測定範囲を第一深度測定範囲として、受光部で受光し、前記受光部が受光した複数のパターン光に基づいて、前記受光部の光軸方向と直交する直交測定範囲内に存在する画素毎に、前記第一深度測定範囲内の測定対象物の第一高さ画像を、高さ画像生成部により生成する工程と、前記ステージを前記受光部に対して該受光部の光軸方向に相対的に移動させることで、前記深度測定範囲から、該第一深度測定範囲と一部が重複する第二深度測定範囲にシフトさせる工程と、測定対象物に対し、前記投光部からパターン光を照射し、測定対象物で反射されたパターン光を、第二深度測定範囲の受光部で受光し、前記受光部が受光した複数のパターン光に基づいて、前記受光部の光軸方向と直交する直交測定範囲内に存在する画素毎に、前記第二深度測定範囲内の測定対象物の第二高さ画像を、高さ画像生成部により生成する工程と、前記第一深度測定範囲と第二深度測定範囲の重複する範囲において、前記第一高さ画像と第二高さ画像とが対応する直交測定範囲内の画素の有する高さ情報が真値に近いか否かの信頼性を示す信頼性指標に基づいて、前記第一高さ画像と第二高さ画像のいずれか又は両方の画素の採否を決定して、前記第一高さ画像と第二高さ画像を合成高さ画像生成部で合成する工程とを含むことができる。これにより、複数の高さ画像を深度方向に連結するに際して、重複する領域における高さ情報の信頼性を高めた合成高さ画像を得ることができる。
【００２５】
さらにまた、本発明の第１８の側面に係る形状測定プログラムによれば、測定対象物の高さ情報を含む高さ画像を生成することで形状を測定するための形状測定プログラムであって、測定の対象となる測定対象物をステージ上に載置した状態で、該測定対象物に対し、投光部からパターン光を照射し、測定対象物で反射されたパターン光を、受光部で測定可能な高さ範囲である深度測定範囲を第一深度測定範囲として、受光部で受光し、前記受光部が受光した複数のパターン光に基づいて、前記受光部の光軸方向と直交する直交測定範囲内に存在する画素毎に、前記第一深度測定範囲内の測定対象物の第一高さ画像を、高さ画像生成部により生成する機能と、前記ステージを前記受光部に対して該受光部の光軸方向に相対的に移動させることで、前記深度測定範囲から、該第一深度測定範囲と一部が重複する第二深度測定範囲にシフトさせる機能と、測定対象物に対し、前記投光部からパターン光を照射し、測定対象物で反射されたパターン光を、第二深度測定範囲の受光部で受光し、前記受光部が受光した複数のパターン光に基づいて、前記受光部の光軸方向と直交する直交測定範囲内に存在する画素毎に、前記第二深度測定範囲内の測定対象物の第二高さ画像を、高さ画像生成部により生成する機能と、前記第一深度測定範囲と第二深度測定範囲の重複する範囲において、前記第一高さ画像と第二高さ画像とが対応する直交測定範囲内の画素の有する高さ情報が真値に近いか否かの信頼性を示す信頼性指標に基づいて、前記第一高さ画像と第二高さ画像のいずれか又は両方の画素の採否を決定して、前記第一高さ画像と第二高さ画像を合成高さ画像生成部で合成する機能とをコンピュータに実現させることができる。上記構成により、複数の高さ画像を深度方向に連結するに際して、重複する領域における高さ情報の信頼性を高めた合成高さ画像を得ることができる。
【００２６】
また第１９の側面に係るコンピュータで読み取り可能な記録媒体又は記録した機器は、上記プログラムを格納するものである。記録媒体には、ＣＤ−ＲＯＭ、ＣＤ−Ｒ、ＣＤ−ＲＷやフレキシブルディスク、磁気テープ、ＭＯ、ＤＶＤ−ＲＯＭ、ＤＶＤ−ＲＡＭ、ＤＶＤ−Ｒ、ＤＶＤ＋Ｒ、ＤＶＤ−ＲＷ、ＤＶＤ＋ＲＷ、Ｂｌｕ−ｒａｙ（登録商標）、ＨＤ  ＤＶＤ（ＡＯＤ）等の磁気ディスク、光ディスク、光磁気ディスク、半導体メモリその他のプログラムを格納可能な媒体が含まれる。またプログラムには、上記記録媒体に格納されて配布されるものの他、インターネット等のネットワーク回線を通じてダウンロードによって配布される形態のものも含まれる。さらに記録媒体にはプログラムを記録可能な機器、例えば上記プログラムがソフトウェアやファームウェア等の形態で実行可能な状態に実装された汎用もしくは専用機器を含む。さらにまたプログラムに含まれる各処理や機能は、コンピュータで実行可能なプログラムソフトウエアにより実行してもよいし、各部の処理を所定のゲートアレイ（ＦＰＧＡ、ＡＳＩＣ、ＤＳＰ）等のハードウエア、又はプログラムソフトウエアとハードウエアの一部の要素を実現する部分的ハードウエアモジュールとが混在する形式で実現してもよい。
【図面の簡単な説明】
【００２７】
【図１】本発明の実施形態１に係る計測顕微鏡装置を示すブロック図である。
【図２】本発明の実施形態２に係る計測顕微鏡装置を示すブロック図である。
【図３】本発明の実施形態３に係る計測顕微鏡装置を示すブロック図である。
【図４】図１の撮像手段の構成を示すブロック図である。
【図５】計測顕微鏡装置操作プログラムのＧＵＩの一例を示すイメージ図である。
【図６】テレセントリック両側投光の光学系を示す模式図である。
【図７】左右投光と測定範囲の関係を示す模式図である。
【図８】上ヘッドと下ヘッドを接続した状態を示す側面図である。
【図９】下ヘッドの内部構成を示す概略図である。
【図１０】形状測定の手順を示すフローチャートである。
【図１１】テクスチャ画像を取得する手順を示すフローチャートである。
【図１２】計測設定を行う手順を示すフローチャートである。
【図１３】図１３Ａは、ステージの下方にＺステージを配置し、スケール部を離間させた構成を示す模式図、図１３Ｂは、ステージの下方にスケールユニットを配置し、Ｚステージを背面に配置した構成を示す模式図である。
【図１４】図１４Ａは高さＡ、図１４Ｂは高さＢ、図１４Ｃは高さＣにおける、測定範囲を示す模式図である。
【図１５】図１５Ａ〜図１５Ｃは、図１４Ａ、図１４Ｂ、図１４Ｃの各高さで得られた光学画像、図１５Ｄ〜図１５Ｆは、図１４Ａ、図１４Ｂ、図１４Ｃの各高さで得られた縞画像を、それぞれ示すイメージ図である。
【図１６】図１６Ａは図１４Ａの高さＡ、図１６Ｂは図１４Ｂの高さＢ、図１６Ｃは図１４Ｃの高さＣで得られた測定結果を、図１６Ｄはこれらを連結する様子を示す模式図である。
【図１７】図１７Ａは深度探索範囲内のデータを非表示とした合成画像のイメージ図、図１７Ｂは深度探索範囲内のデータを表示させた合成画像のイメージ図である。
【図１８】図１８Ａは別の測定対象物の深度探索範囲内のデータを非表示とした合成画像のイメージ図、図１８Ｂは深度探索範囲内のデータを表示させた合成画像のイメージ図である。
【図１９】測定可能な高さ範囲外で深度探索範囲内にある測定対象物の高さ位置に縞画像が確認できる状態を示すイメージ図である。
【図２０】別の測定対象物に対して、測定可能な高さ範囲外で深度探索範囲内にある高さ位置に縞画像が確認できる状態を示すイメージ図である。
【図２１】連結時の画像の粗さとピッチの関係を示すグラフである。
【図２２】連結測定範囲を自動で決定する深度探索範囲を説明する模式図である。
【図２３】取得済みの画素を累積する様子を示す模式図である。
【図２４】累積画像の変遷を示す模式図である。
【図２５】自動深度拡張の手順を示すフローチャートである。
【図２６】実施例２に係る自動深度拡張を説明する模式図である。
【図２７】形状測定プログラムのフルオートモードのユーザインターフェース画面を示すイメージ図である。
【図２８】測定モード選択を行う例を示すイメージ図である。
【図２９】深度拡張モード選択を行う例を示すイメージ図である。
【図３０】測定方向選択を行う例を示すイメージ図である。
【図３１】測定明るさ設定を行う例を示すイメージ図である。
【図３２】手動深度拡張の手順を示すフローチャートである。
【図３３】図３３Ａは測定対象物を表示させた光学画像Ａ、図３３Ｂは図３３Ａよりも高い焦点位置の光学画像Ｂ、図３３Ｃは図３３Ｂよりも高い焦点位置の光学画像Ｃ、図３３Ｄは図３３Ａの高さ画像Ｄ、図３３Ｅは図３３Ｂの高さ画像Ｅ、図３３Ｆは図３３Ｃの高さ画像Ｆ、図３３Ｇは図３３Ｄ、図３３Ｅ、図３３Ｆの高さ画像を合成した合成高さ画像Ｇを、それぞれ示すイメージ図である。
【図３４】３Ｄ測定画面のマニュアル観察画面を示すイメージ図である。
【図３５】高さ画像を示す３Ｄプレビュー画面を示すイメージ図である。
【図３６】３Ｄ測定画面を示すイメージ図である。
【図３７】図３６の高さ指定位置で得られた高さ画像を示す３Ｄプレビュー画面を示すイメージ図である。
【図３８】図３５の高さ画像を合成した合成高さ画像を表示する３Ｄプレビュー画面を示すイメージ図である。
【図３９】高さ画像と合成高さ画像を一覧表示する３Ｄプレビュー画面を示すイメージ図である。
【図４０】図３５の高さ画像を合成した合成高さ画像を表示する３Ｄプレビュー画面を示すイメージ図である。
【図４１】図４０の高さ画像を異なる角度から見た３Ｄプレビュー画面を示すイメージ図である。
【図４２】部分領域の設定例を示すイメージ図である。
【図４３】図４２の測定対象物の光学画像を示すイメージ図である。
【図４４】図４４Ａは、図４３の測定対象物から通常測定モードで生成された高さ画像、図４４Ｂは、反射／潜り込み光除去モードで生成された高さ画像のイメージ図である。
【図４５】図４５Ａはある測定対象物の縞画像のイメージ図、図４５Ｂは図４５Ａの測定対象物の内、金属部分の輝度プロファイル、図４５Ｃは穴部分の輝度プロファイル、図４５Ｄは白樹脂部分の輝度プロファイルである。
【図４６】部分領域測定設定を自動調整して合成立体形状データを生成する手順を示すフローチャートである。
【図４７】測定対象物に複数の部分領域を設定した状態を示す側面図である。
【図４８】図４７の分割測定領域毎の部分領域測定設定を示す表である。
【発明を実施するための形態】
【００２８】
以下、本発明の実施の形態を図面に基づいて説明する。ただし、以下に示す実施の形態は、本発明の技術思想を具体化するための形状測定装置、形状測定方法、形状測定プログラム及びコンピュータで読み取り可能な記録媒体を例示するものであって、本発明は形状測定装置、形状測定方法、形状測定プログラム及びコンピュータで読み取り可能な記録媒体を以下のものに特定しない。また、本明細書は特許請求の範囲に示される部材を、実施の形態の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
【００２９】
本明細書において、「テクスチャ画像」とは、光学画像に代表される、テクスチャ情報を有する観察画像である。一方、「高さ画像」とは、距離画像等とも呼ばれるものであり、高さ情報を含む画像の意味で使用する。例えば、高さ情報を輝度や色度等に変換して二次元画像として表示した画像や、高さ情報をＺ座標情報として三次元状に表示した画像が挙げられる。またこのような高さ画像にテクスチャ画像をテクスチャ情報として貼り付けた三次元の合成画像も、高さ画像に含む。また、本明細書において高さ画像の表示形態は二次元状に表示されるものに限られず、三次元状に表示されるものも含む。例えば、高さ画像の有する高さ情報を輝度等に変換して二次元画像として表示したものや、高さ情報をＺ座標情報として三次元状に表示したものを含む。
【００３０】
さらに本明細書において測定対象物をステージ上に置く「姿勢」とは、測定対象物の回転角度を意味する。なお、測定対象物が円錐のような平面視において点対称の形状の場合は、回転角度に依らず同じ結果が得られるため、姿勢は規定する必要がない。
［実施形態１］
【００３１】
本発明の実施形態１に係る形状測定装置の構成を示すブロック図を図１に示す。形状測定装置５００は、図１に示すように、撮像手段１００、制御手段２００、光源部３００、表示部４００及び操作デバイス４５０を備える。この構成は一例であって、各部材や各部材に含まれる機能ブロックは、適宜統合させたり、分割させることができる。例えば、制御手段に光源部を含めてもよい。また制御手段を、コントローラと汎用コンピュータに分割してもよい。
（撮像手段１００）
【００３２】
撮像手段１００は、投光部１１０と、受光部１２０と、測定制御部１５０と、ステージ１４０と、光軸方向駆動部１４６と、ステージ平面方向駆動部１４８を備える。投光部１１０は、ステージ１４０上に載置された測定対象物ＷＫに対し、パターン光を照射するための部材である。受光部１２０は、投光部１１０から照射されて、測定対象物ＷＫで反射されたパターン光を受光して、受光データを出力する。測定制御部１５０は、投光部１１０の投光と受光部１２０の受光を駆動し、また受光部１２０の受光データを出力するための部材である。この撮像手段は、パターン投影法に基づいて測定対象物ＷＫの形状を測定する。
［実施形態２］
【００３３】
図１の例では、高さ画像を取得するための測定光を投光するパターン投光系と、テクスチャ画像を撮像するための照明光を照射する照明投光系を、別個に設けた例を説明した。ただ本発明は、投光系を個別に設ける構成に限定せず、投光系を共通化してもよい。このような例を実施形態２として、図２のブロック図に示す。この図に示す形状測定装置５００Ｂにおいて、図１と同様の部材については、同じ符号を付して詳細説明を省略する。
【００３４】
実施形態２に係る形状測定装置５００Ｂは、図１の形状測定装置５００と比べて、照明光出力部及び観察用照明光源を備えていない。この形状測定装置５００Ｂでは、投光部１１０が照明光の照射を兼用している。例えば投光部１１０がパターン投影する際のパターンをすべて点灯として照射することで、面状光源として利用して照明光と同様の光を照射できる。この構成であれば、照明光出力部を省略できるので、形状測定装置の構成を簡素化できる利点が得られる。
【００３５】
一方、ステージ１４０は、測定対象物ＷＫを載置するための部材である。また光軸方向駆動部１４６は、ステージ１４０を受光部１２０に対して光軸方向に相対的に移動させることにより、受光部１２０の焦点位置を調整するための部材である。この例では光軸方向駆動部１４６は、ステージ１４０側を駆動させて、焦点距離を調整する焦点調整部として機能する。また光軸方向駆動部１４６は、電動でステージ１４０を駆動するステージ駆動部と、手動でステージ１４０を操作するためのステージ操作部を備えている。これら詳細については後述する。
【００３６】
またステージ平面方向駆動部１４８は、ステージ１４０を受光部１２０の光軸方向と直交するステージ平面方向に相対的に移動させるための部材である。ステージ平面方向駆動部１４８はステージ１４０を水平面内で駆動させる駆動部であり、視野範囲を調整することができる。ステージ１４０側を駆動させる例においては、ステージ平面方向駆動部１４８はＸＹステージ１４１に相当し、一方光軸方向駆動部１４６はＺステージ１４２に相当する。
［実施形態３］
【００３７】
ただ本発明は、光軸方向駆動部１４６をステージ１４０側の移動に限定せず、投光部１１０及び受光部１２０側を移動させてもよい。このような例を実施形態３に係る形状測定装置として、図３のブロック図に示す。この図に示す形状測定装置５００Ｃにおいても、図１等と同様の部材については、同じ符号を付して詳細説明を省略する。
【００３８】
実施形態３に係る形状測定装置５００Ｃは、撮像手段１００Ｃにおいて、ステージ１４０側の高さを固定する一方、光軸方向駆動部１４６Ｃで、投光部１１０及び受光部１２０側を移動させている。光軸方向駆動部１４６Ｃは、投光部１１０や受光部１２０などの撮像系を手動で操作するための撮像系操作部１４４Ｃと、撮像系を電動で駆動するための撮像系駆動部１４５Ｃを備えている。この構成であっても、同様に焦点位置を調整できる。またステージ１４０の高さを一定とすることで、ステージ１４０上に測定対象物ＷＫを載置する高さを一定に維持できるので、測定対象物ＷＫの載置作業をスムーズに行える利点が得られる。なお、ステージ側と投光部及び受光部側の両方を移動可能とさせてもよい。このように本明細書においては、ステージ側、あるいは投光部及び受光部側のいずれか又は両方を移動させる場合でも、深度方向に焦点位置を調整できる。よって本明細書において「ステージを受光部に対して光軸方向に相対的に移動させる」というときは、ステージ側を移動させる態様と投光部及び受光部側を移動させる態様、及び両者を移動させる態様を含むものとする。
（制御手段２００）
【００３９】
制御手段２００は、立体形状データ生成部２１２と、三次元画像合成部２１３と、判定処理部２１４と、深度拡張処理部２１５と、合成処理部２１６と、測定設定自動調整部２１７と、立体形状データ連結部２１９と、記憶部２４０と、設定部２５０とを備える。
（測定設定自動調整部２１７）
【００４０】
測定設定自動調整部２１７は、各部分領域の立体形状データ及び該立体形状データを生成する際に各部分領域で取得された受光データの少なくともいずれかに基づいて、該部分領域の測定設定を自動的に調整するための部材である。測定設定自動調整部２１７は、各部分領域において、部分領域測定設定を自動的に調整し、必要に応じて各部分領域の測定設定に変更する。このように各部分領域の測定設定が変更された場合、この部分領域の測定設定に従って、立体形状データ生成部で再度立体形状データを生成し直す。すなわち、調整後の各部分領域の測定設定に従って、投光部でパターン光を投光し、受光部で調整受光データを受光し、これに基づいて、立体形状データ生成部で調整立体形状データを生成する。さらに立体形状データ連結部２１９でこの調整立体形状データを連結して連結調整立体形状データを生成する。これにより、一旦取得された受光データや立体形状データに基づいて最適な条件に変更された各部分領域の測定設定でもって立体形状データを生成し、より正確な計測を行うことが可能となる。
（立体形状データ連結部２１９）
【００４１】
立体形状データ連結部２１９は、測定設定調整部により調整された部分領域測定設定に従って測定された各部分領域の立体形状データを連結し、連結領域に対応する連結立体形状データを生成するための部材である。
（立体形状データ生成部２１２）
【００４２】
立体形状データ生成部２１２は、連結領域設定部２５６で設定された各部分領域において、測定設定部２５５で設定された測定設定に従って、受光部により出力された受光データに基づいて、測定対象物の形状を示す立体形状データをパターン投影法で生成する部材である。図１等の例では、立体形状データ生成部２１２は、投光部１１０により順次位相をシフトして投光され、測定対象物ＷＫの表面から反射した光を受光部１２０が複数回受光し、出力した複数の受光データに基づいて、測定対象物ＷＫの表面形状によって変化する位相データを取得し、当該位相データに基づいて、受光部１２０の光軸と直交するステージ平面内に存在する測定対象物ＷＫの形状をパターン投影法で測定して立体形状データを取得する。このステージ平面は、面状に指定され、例えばＸＹ平面上で指定される。また立体形状データは、画素毎に取得することが好ましい。なおここでいう立体形状データは、高さ情報を測定可能なデータの意味である。例えば、測定対象物を示す各画素が測定対象物の三次元座標を示す高さ画像が、立体形状データに含まれる。すなわち立体形状データは、必ずしも高さ情報を直接有していることは要さず、例えば高さ情報を測定前の、パターン投影法で測定した縞画像や、位相データ、縞画像から画素毎に測定対象物の三次元座標（例えばＸＹＺ座標）を示す高さ情報を計測したデータも、立体形状データに含む。
【００４３】
また立体形状データ生成部２１２は、高さ画像を生成することもできる。このため立体形状データ生成部２１２は、高さ画像を生成する高さ画像生成部２１２ｂや、高さ画像に対して計測を行う形状測定処理部２１２ｃを含めることができる。このように立体形状データ生成部２１２を、立体形状データに含まれる、測定対象物を示す各画素が測定対象物の三次元座標を示す高さ画像を生成するよう構成してもよい。
（判定処理部２１４）
【００４４】
判定処理部２１４は、立体形状データ取得部２１２により取得された立体形状データに基づいて、深度測定範囲内に高さ情報を有さない未測定の領域が存在するか否かを、所定の判定条件に従って判定するための部材である。パターン投影法では、縞パターンのコントラストが低くても、隣り合う明部と暗部が区別できる程度のコントラストを有していれば、立体形状データの取得が可能である。したがって、深度測定範囲とは、ステージ１４０を受光部１２０、投光部１１０、又はその両方に対し、相対的に移動させることなく高さ情報を取得可能な受光部１２０の光軸方向のある一定の幅を有する範囲を示す。より詳細には、深度測定範囲は、投光部１１０により測定対象物ＷＫ上に投光された縞パターンが最も大きいコントラストで撮像される位置に対し、光軸方向上下に一定の範囲を有する。ここで、一定の範囲とは、受光部１２０により投光部１１０から投光された縞パターンが少なくとも撮像可能な範囲であり、異なる方向からパターン光を投光する投光部１１０が複数存在する場合は、すべての投光部１１０から投光された縞パターンが撮像される範囲に基づいて定義されてよい。また、未測定の領域とは、立体形状データの内、高さ情報を取得できないデータを指す。例えば縞投影の縞パターンが映っていない画素や複数の画素からなる領域が挙げられる。また所定の判定条件には、立体形状データに含まれる縞画像のコントラストや、輝度が所定値に至っているかなどが挙げられる。
【００４５】
すなわち、最終的な立体形状データが得られていない画素の中で、パターンが投影されていることが判定できる程度の輝度値が得られている画素が存在する場合には、測定対象物が存在しているものと判断して、これを元に深度測定範囲を変えて立体形状データの取得を試みる。
【００４６】
判定処理部２１４は、このような判定条件に基づいて、高さの計測が可能な程度に縞パターンが得られているかを判定することで、深度測定範囲内に高さ情報を有さない未測定の領域が存在するか否かを判断できる。
【００４７】
また判定処理部２１４は、深度測定範囲内で高さ情報を測定可能な取得済みの画素を累積して、この取得済み画素を累積した累積画像に基づいて未測定の画素が存在するか否かを判定するよう構成できる。
【００４８】
さらに判定処理部２１４は、深度測定範囲内のいずれかの部位に立体形状データを有するか否かを判定し、未測定画素の有無を判定するよう構成してもよい。このように、深度測定範囲内に高さが測定できた画素があれば、深度を自動拡張するようにしてもよい。すなわち深度測定範囲内で一点でも測定できたら、拡張するように制御することもできる。
（深度拡張処理部２１５）
【００４９】
深度拡張処理部２１５は、判定処理部２１４による未測定判定処理により、未測定の領域が存在すると判定された場合に、光軸方向駆動部１４６を制御して受光部１２０の焦点位置を変更するための部材である。
（設定部２５０）
【００５０】
設定部２５０は、位置指定部２５１と、終了条件設定部２５２と、深度範囲設定部２５３と、深度拡張モード選択部２５４と、測定設定部２５５と、連結領域設定部２５６と、測定モード選択部２５７を備える。
（位置指定部２５１）
【００５１】
位置指定部２５１は、表示部４００上に表示された測定対象物ＷＫの画像上で、ＸＹ位置を指定するための部材である。
（終了条件設定部２５２）
【００５２】
終了条件設定部２５２は、光軸方向駆動部１４６を制御して受光部１２０の焦点位置を変更する焦点位置変更処理を終了する所定の終了条件を設定するための部材である。
【００５３】
ここで判定処理部２１４による所定の終了条件とは、移動範囲の物理的な限界、例えばステージ１４０がそれ以上移動できない位置に到達した状態が挙げられる。また所定の終了条件として、そもそも測定できない状態の他、未測定だが縞画像が取得できない状態も挙げられる。
【００５４】
なお深度拡張処理部２１５は、光軸方向駆動部１４６を動作させる際に、受光部１２０とステージ１４０との距離が長くなる方向に動作させることが好ましい。これにより、ステージ１４０上に載置された測定対象物ＷＫが受光部１２０に接触する事態を回避することができる。この場合、受光部１２０とステージ１４０が離れる一方向にのみ動作するため、ステージの初期位置を適切に設定しないと、測定対象物ＷＫの全体を測定することができなくなる。使用者はステージ１４０を受光部１２０の光軸方向に移動させながら、測定を行いたい測定対象物ＷＫの最も低い位置（受光部１２０が離れた位置）の測定が可能で、且つ測定対象物ＷＫの最も高い位置（受光部１２０に最も近い位置）が受光部１２０に衝突しない位置にステージ１４０の初期位置としてセットする。この作業は、使用者が表示部４００に表示された立体形状データを確認したり、実際のステージ１４０と受光部１２０との距離を目視で確認することにより行うことができる。
【００５５】
一方で、深度拡張処理部２１５が、受光部１２０とステージ１４０との距離が短くなる方向にも光軸方向駆動部１４６の動作を許容する場合は、ステージ１４０上の測定対象物ＷＫがカメラ等と接触する事態を阻止するための機構を備えることが好ましい。例えば、測定対象物ＷＫの最も高い部位の大まかな高さを予め取得しておき、この高さよりも短い距離に受光部１２０とステージ１４０とが接近することを禁止するように、深度拡張処理部２１５で光軸方向駆動部１４６の動作を制限する。受光部１２０とステージ１４０との距離が短くなる方向、及び長くなる方向の両方向にステージの移動を許容する場合は、ステージ１４０の初期位置から、まずいずれか一方の方向にステージ１４０を移動して、判定処理部２１４による終了条件が満たされない場合は、他方の方向にステージ１４０を移動し、終了条件が満たされるまで往復動作を行う。
【００５６】
深度範囲設定部２５３は、光軸方向駆動部１４６を制御して受光部１２０の焦点位置を変更する範囲を設定するための部材である。
【００５７】
深度拡張モード選択部２５４は、光軸方向駆動部１４６を制御して受光部１２０の焦点位置を変更する焦点位置変更処理を、所定の範囲内で行うか、自動的に拡張するかを切り替えるための部材である。
（測定設定部２５５）
【００５８】
測定設定部２５５は、連結領域を設定するための部材である。連結領域は、複数の部分領域に分割される。各部分領域は、形状測定装置で測定可能な視野又はこれよりも若干狭い領域に対応する。このように複数の部分領域に分けて、各部分領域にステージを平面方向駆動部で移動させ、それぞれで生成した立体形状データをＸＹ平面方向に連結することで、ハードウェア仕様上の制限のある視野を拡大した広域画像を得ることが可能となる。
（連結領域設定部２５６）
【００５９】
連結領域設定部２５６は、平面方向駆動部で平面方向におけるステージの相対位置を移動させる領域として、複数の部分領域で構成された連結領域を設定する部材である。
（測定モード選択部２５７）
【００６０】
測定モード選択部２５７は、立体形状データ生成部で測定対象物の立体形状データを生成する際の測定モードとして、通常モードと、通常モードよりも精細な測定を行うためのファインモードと、受光データからハレーションを除去するハレーション除去モードのいずれかを選択するための部材である。
（合成処理部２１６）
【００６１】
合成処理部２１６は、判定処理部２１４による未測定判定処理により、未測定の領域が存在しないと判定されるか、又は所定の終了条件を満たすまで、立体形状データ生成部２１２による立体形状データ取得処理、判定処理部２１４による未測定判定処理、深度拡張処理部２１５による焦点位置変更処理を自動的に繰り返して生成された複数の高さ画像を合成した合成高さ画像を生成するための部材である。
【００６２】
このような形状測定装置により、深度方向の測定範囲を各視野において拡張することが可能となる。
（高さ情報の取得方法）
【００６３】
本実施形態では、高さ情報を取得するための方法として、三角測距の原理に基づくパターン投影法を用いている。この方式では、１回の深度測定範囲が広い三角測距方式をベースにしながら、測定対象物又は形状測定装置の位置を、物理的又は光学的に移動させて測定を繰り返す。そして得られた測定結果を合成していくことで、１回の測定で実現できる深度測定範囲を移動した分だけ、深度方向にトータルの高さを拡張していくことができる。この結果、高速に、かつ三角測距方式よりも広い範囲を測定可能となる。これによって、より広い視野を、高い分解能で計測可能な形状測定装置や形状測定方法が実現される。
（ＸＹ画像連結機能）
【００６４】
また合成処理部２１６は、ステージ１４０をＸＹ方向に移動させて撮像したＸＹ座標が異なる複数の高さ画像を、ＸＹ平面上で連結することもできる。このようなＸＹ連結の場合は、ステージ平面方向駆動部１４８でもってステージ１４０を水平方向に移動させて、異なる視野範囲で撮像した画像を水平方向に連結する。例えばテクスチャ画像取得部２１８で複数回に分けて撮像された、異なる部位を示すテクスチャ画像同士をＸＹ連結部で連結して、大きなテクスチャ画像として連結画像を、基準対象画像や検査対象画像として利用することもできる。特に高倍率な光学画像等を撮像可能な形状測定装置においては、低倍率なテクスチャ画像ではその能力を十分に発揮できないことがあり、高倍率で高精細なテクスチャ画像を画像連結機能で生成して、精度の高い画像検査を実現することができる。あるいは、高倍率の画像は視野が狭いため、異なる視野で撮像した画像同士を連結することで視野を拡大した連結画像を得ることもできる。また画像連結機能、ここではＸＹ連結機能はテクスチャ画像に限らず、高さ画像や合成高さ画像、あるいはテクスチャ画像と高さ画像を合成した合成画像に対しても実行することができる。ステージ１４０をＸＹ方向に移動させて取得した複数の立体形状データを連結する場合は、各ＸＹ位置において、深度拡張処理部２１５による深度拡張処理を自動的に行い、生成された複数の立体形状データ同士が連結される。これにより、ＸＹ方向に大きく、且つ高さ方向に大きな起伏がある測定対象物ＷＫであっても、測定対象物ＷＫ全体の測定を容易に行うことができる。また、各ＸＹ位置で測定対象物ＷＫに高さ方向の起伏が異なる場合、各ＸＹ位置において深度拡張処理部２１５による深度拡張処理の有無、又は回数が異なる。例えば、測定対象物が割と平坦であり、１回の測定で全体が測定深度範囲に収まるＸＹ位置では深度拡張処理を行わずに立体形状データを生成し、測定対象物の起伏が大きく、深度拡張処理が必要なＸＹ位置では複数回の深度拡張処理を行って立体形状データを生成し、これらの立体形状データ同士をＸＹ方向に連結することができる。
【００６５】
記憶部２４０は、各種のデータを保存したり、設定値を記憶するための部材であり、半導体記憶素子等が利用できる。ここでは記憶部２４０は、高さ画像を保存する高さ画像記憶部２４１と、テクスチャ画像を保存するテクスチャ画像記憶部２４２と、測定設定自動調整部２１７により調整された各部分領域の測定設定を保存するための測定設定保存部２４３を備える。
【００６６】
表示部４００は、取得した画像等を表示するための部材である。例えばＬＣＤや有機ＥＬ、ＣＲＴ等が利用できる。
【００６７】
操作デバイス４５０は、ユーザの入力等を受け付けるための部材であり、マウスやキーボード、コンソール等の入力デバイスが利用できる。また表示部４００にタッチパネルを使用することで、表示部と操作デバイスを兼用することもできる。
（ブロック図）
【００６８】
図１の形状測定装置５００の撮像手段１００の構成例を、図４のブロック図に示す。撮像手段１００は、投光部１１０、受光部１２０、照明光出力部１３０、ステージ１４０及び測定制御部１５０を含む。投光部１１０は、測定光源１１１、パターン生成部１１２及び複数のレンズ１１３、１１４、１１５を含む。受光部１２０は、カメラ１２１及び複数のレンズ１２２、１２３を含む。ステージ１４０上には、測定対象物ＷＫが載置される。
（投光部１１０）
【００６９】
投光部１１０は、ステージ１４０の斜め上方に配置される。撮像手段１００は、複数の投光部１１０を含んでもよい。図４の例においては、撮像手段１００は２つの投光部１１０を含む。ここでは、第一の方向から測定対象物ＷＫに対してパターン光を照射可能な第一投光部１１０Ａ（図４において右側）と、第一の方向とは異なる第二の方向から測定対象物ＷＫに対してパターン光を照射可能な第二投光部１１０Ｂ（図４において左側）を、それぞれ配置している。第一投光部１１０Ａ、第二投光部１１０Ｂは受光部１２０の光軸を挟んで対称に配置される。なお投光部を３以上備えたり、逆に投光部を一のみとしたり、あるいは共通の投光部を用いながら、投光部とステージを相対移動させることで照明の方向を異ならせて投光させることも可能である。さらに図４の例では投光部１１０が投光する垂直方向に対する照明光の照射角度を固定としているが、これを可変とすることもできる。
【００７０】
図４の受光部１２０は、第一投光部１１０Ａから照射され、測定対象物ＷＫから反射された第一パターン光を受光して第一受光データを出力する。その一方でこの受光部１２０は、第二投光部１１０Ｂから照射され、測定対象物ＷＫから反射された第二パターン光を受光して第二受光データを出力する。受光部１２０が出力する受光データは、例えば縞投影法に基づく縞画像である。
【００７１】
また受光データを受ける立体形状データ取得部２１２は、受光部１２０が受光した第一受光データに基づいて、測定対象物ＷＫの第一高さ画像を生成する。一方で、立体形状データ取得部２１２は、受光部１２０が受光した第二受光データに基づいて、測定対象物ＷＫの第二高さ画像を生成する。
（深度測定範囲）
【００７２】
ここで、ステージ１４０上の受光部１２０の撮影視野の位置するステージ平面内において、第一投光部１１０Ａ及び第二投光部１１０Ｂから、第一パターン光及び第二パターン光をそれぞれ照射可能な共通の高さ範囲を、深度測定範囲とする。合成処理部２１６は、この深度測定範囲内の立体形状データを有する第一高さ画像と第二高さ画像を合成して、合成高さ画像を生成する。
（深度探索範囲）
【００７３】
一方で、ステージ１４０上の受光部１２０のステージ平面内に、第一投光部１１０Ａ及び第二投光部１１０Ｂのいずれか一方のみから、第一パターン光又は第二パターン光を照射可能な領域を含む高さ範囲を深度探索範囲とする。判定処理部２１４は、この深度探索範囲内に測定対象物ＷＫの表面領域が存在するか否かを判定条件とすることができる。
（測定光源１１１）
【００７４】
各第一投光部１１０Ａ、第二投光部１１０Ｂの測定光源１１１は、例えば白色光を出射するハロゲンランプである。測定光源１１１は、白色光を出射する白色ＬＥＤ（発光ダイオード）等の他の光源であってもよい。測定光源１１１から出射された光（以下、「測定光」と呼ぶ。）は、レンズ１１３により適切に集光された後、パターン生成部１１２に入射する。
【００７５】
パターン生成部１１２は、例えばＤＭＤ（デジタルマイクロミラーデバイス）である。パターン生成部１１２は、ＬＣＤ（液晶ディスプレイ）、ＬＣＯＳ（Liquid Crystal on Silicon：反射型液晶素子）又はマスクであってもよい。パターン生成部１１２に入射した測定光は、予め設定されたパターン及び予め設定された強度（明るさ）に変換されて出射される。パターン生成部１１２により出射された測定光は、複数のレンズ１１４、１１５により受光部１２０の観察・測定可能な視野よりも大きい径を有する光に変換された後、ステージ１４０上の測定対象物ＷＫに照射される。
【００７６】
なお図４の配置は一例であり、光学系部材の配置は適宜変更できる。例えばパターン生成部１１２をレンズ１１５の出射面側に配置してもよい。
（受光部１２０）
【００７７】
受光部１２０は、ステージ１４０の上方に配置される。測定対象物ＷＫによりステージ１４０の上方に反射された測定光は、受光部１２０の複数のレンズ１２２、１２３により集光、結像された後、カメラ１２１により受光される。
（カメラ１２１）
【００７８】
カメラ１２１は、例えば撮像素子１２１ａ及びレンズを含むＣＣＤ（電荷結合素子）カメラである。撮像素子１２１ａは、例えばモノクロＣＣＤ（電荷結合素子）である。撮像素子１２１ａは、ＣＭＯＳ（相補性金属酸化膜半導体）イメージセンサ等の他の撮像素子であってもよい。カラーの撮像素子は各画素を赤色用、緑色用、青色用の受光に対応させる必要があるため、モノクロの撮像素子と比較すると計測分解能が低く、また各画素にカラーフィルタを設ける必要があるため感度が低下する。そのため、本実施形態では、撮像素子としてモノクロのＣＣＤを採用し、後述する照明光出力部１３０をＲＧＢにそれぞれ対応した照明を時分割で照射して撮像することにより、カラー画像を取得している。このような構成にすることにより、計測精度を低下させずに測定物のカラー画像を取得することができる。
【００７９】
ただ、撮像素子１２１ａとして、カラーの撮像素子を用いても良いことは云うまでもない。この場合、計測精度や感度は低下するが、照明光出力部１３０からＲＧＢにそれぞれ対応した照明を時分割で照射する必要がなくなり、白色光を照射するだけで、カラー画像を取得できるため、照明光学系をシンプルに構成できる。  撮像素子１２１ａの各画素からは、受光量に対応するアナログの電気信号（以下、「受光信号」と呼ぶ。）が測定制御部１５０に出力される。
（測定制御部１５０）
【００８０】
測定制御部１５０には、Ａ／Ｄ変換器（アナログ／デジタル変換器）及びＦＩＦＯ（First In First Out）メモリが実装される。カメラ１２１から出力される受光信号は、光源部３００による制御に基づいて、測定制御部１５０のＡ／Ｄ変換器により一定のサンプリング周期でサンプリングされると共にデジタル信号に変換される。Ａ／Ｄ変換器から出力されるデジタル信号は、ＦＩＦＯメモリに順次蓄積される。ＦＩＦＯメモリに蓄積されたデジタル信号は画素データとして順次制御手段２００に転送される。
（制御手段２００）
【００８１】
図１に示すように、制御手段２００は、ＣＰＵ（中央演算処理装置）２１０、ＲＯＭ２２０（リードオンリメモリ）、作業用メモリ２３０、記憶部２４０及び設定部２５０を含む。制御手段２００には、ＰＣ（パーソナルコンピュータ）やワークステーション等のコンピュータが利用できる。また、専用のコントローラを用意してもよい。あるいは、汎用のコンピュータと専用のコントローラを組み合わせて、制御手段２００を構築してもよい。この例では、制御手段２００を、形状測定プログラムをインストールしたコンピュータで構成している。
【００８２】
設定部２５０は、操作デバイス４５０で操作される。操作デバイス４５０は、キーボード及びポインティングデバイスを含む。ポインティングデバイスとしては、マウス又はジョイスティック等が用いられる。また操作デバイス４５０を表示部４００と統合することもできる。例えば表示部４００にタッチパネルを用いることで、表示部に操作部の機能を持たせることが可能となる。
【００８３】
ＲＯＭ２２０には、システムプログラムが記憶される。作業用メモリは、ＲＡＭ（ランダムアクセスメモリ）からなり、種々のデータの処理のために用いられる。記憶部２４０は、ハードディスク等からなる。記憶部２４０には、画像処理プログラム及び形状測定プログラムが記憶される。また、記憶部２４０は、測定制御部１５０から与えられる画素データ等の種々のデータを保存するために用いられる。
【００８４】
ＣＰＵ２１０は、測定制御部１５０から与えられる画素データに基づいて画像データを生成する。また、ＣＰＵ２１０は、生成した画像データに作業用メモリ２３０を用いて各種処理を行うと共に、画像データに基づく画像を表示部４００に表示させる。さらに、ＣＰＵ２１０は、後述するステージ駆動部１４５に駆動パルスを与える。さらにこのＣＰＵは、後述する立体形状データ生成部２１２と、判定処理部２１４と、合成処理部２１６と、三次元画像合成部２１３と、深度拡張処理部２１５の機能を実現する。
（表示部４００）
【００８５】
表示部４００は、撮像手段１００で取得された測定画像や、撮像された観察画像を表示させるための部材である。表示部４００は、例えばＬＣＤパネル又は有機ＥＬ（エレクトロルミネッセンス）パネルにより構成される。
（ステージ１４０）
【００８６】
ステージ１４０は、上面に測定対象物ＷＫを載置するための部材である。このステージ１４０は、図１に示すようにユーザが手動でステージ１４０を移動させるためのステージ操作部１４４と、電動でステージ１４０を移動させるためのステージ駆動部１４５を備える。
【００８７】
図４において、測定対象物ＷＫが載置されるステージ１４０上の平面（以下、「載置面」と呼ぶ。）内で互いに直交する２方向をＸ方向及びＹ方向と定義し、それぞれ矢印Ｘ、Ｙで示す。ステージ１４０の載置面に対して直交する方向をＺ方向と定義し、矢印Ｚで示す。Ｚ方向に平行な軸を中心に回転する方向をθ方向と定義し、矢印θで示す。なお、θステージの回転軸はＺ方向に平行な光軸と平行である必要はなく、例えば当該光軸に対して４５°傾いていてもよい。
【００８８】
ステージ１４０は、ＸＹステージ１４１、Ｚステージ１４２及びθステージ１４３を含む。ＸＹステージ１４１は、ステージ平面方向駆動部として、Ｘ方向移動機構及びＹ方向移動機構を有する。Ｚステージ１４２は、Ｚ方向移動機構を有する。θステージ１４３は、θ方向回転機構を有する。ＸＹステージ１４１、Ｚステージ１４２及びθステージ１４３により、ステージ１４０が構成される。また、ステージ１４０は、載置面に測定対象物ＷＫを固定する固定部材（クランプ）をさらに含む。ステージ１４０は、載置面に平行な軸を中心に回転可能な機構を有するチルトステージをさらに含んでもよい。
【００８９】
ステージ１４０のＸ方向移動機構、Ｙ方向移動機構、Ｚ方向移動機構及びθ方向回転機構には、それぞれステッピングモータが用いられる。ステージ１４０のＸ方向移動機構、Ｙ方向移動機構、Ｚ方向移動機構及びθ方向回転機構は、図１のステージ操作部１４４又はステージ駆動部１４５により駆動される。
【００９０】
ユーザは、ステージ操作部１４４を手動で操作することにより、ステージ１４０の載置面を受光部１２０に対して相対的にＸ方向、Ｙ方向もしくはＺ方向に移動させるか、又はθ方向に回転させることができる。ステージ駆動部１４５は、制御手段２００より与えられる駆動パルスに基づいて、ステージ１４０のステッピングモータに電流を供給することにより、ステージ１４０を受光部１２０に相対的にＸ方向、Ｙ方向もしくはＺ方向に移動させるか、又はθ方向に回転させることができる。
【００９１】
ここで図４に示すように、左右の投光部１１０の中心軸と受光部１２０の中心軸は、ステージ１４０の焦点が最も合うピント平面で互いに交差するように、受光部１２０、投光部１１０、ステージ１４０の相対的な位置関係が定められている。また、θ方向の回転軸の中心は、受光部１２０の中心軸と一致しているため、θ方向にステージ１４０が回転した際に、測定対象物ＷＫが視野から外れることなく、回転軸を中心に視野内で回転するようになっている。また、Ｚ方向移動機構に対して、これらＸＹθ及びチルト移動機構は支持されている。すなわち、ステージをθ方向に回転させたり、チルトさせた状態であっても、受光部１２０の中心軸と、Ｚ方向の移動軸にずれが生じない構成になっている。このようなステージ機構により、測定対象物ＷＫの位置や姿勢を変化させた状態であっても、Ｚ方向にステージ１４０を移動させて異なる焦点位置の画像を複数撮像して合成することが可能となる。なお、本実施形態ではステッピングモータにより駆動させることが可能な電動ステージを例に説明したが、手動でのみ移動させることが可能な手動ステージであっても良い。
（光源部３００）
【００９２】
光源部３００は、制御基板３１０及び観察用照明光源３２０を含む。制御基板３１０には、ＣＰＵが実装される。制御基板３１０のＣＰＵは、制御手段２００のＣＰＵ２１０からの指令に基づいて、投光部１１０、受光部１２０及び測定制御部１５０を制御する。なお、この構成は一例であり、他の構成としてもよい。例えば測定制御部１５０で投光部１１０や受光部１２０を制御したり、又は制御手段２００で投光部１１０や受光部１２０を制御することとして、制御基板を省略してもよい。あるいはこの光源部３００に、撮像手段１００を駆動するための電源回路を設けることもできる。
（観察用照明光源３２０）
【００９３】
観察用照明光源３２０は、例えば赤色光、緑色光及び青色光を出射する３色のＬＥＤを含む。各ＬＥＤから出射される光の輝度を制御することにより、観察用照明光源３２０から任意の色の光を発生することができる。観察用照明光源３２０から発生される光（以下、「照明光」と呼ぶ）は、導光部材（ライトガイド）を通して撮像手段１００の照明光出力部１３０から出力される。
【００９４】
照明光出力部１３０から出力される照明光は、赤色光、緑色光及び青色光を時分割で切り替えて測定対象物ＷＫに照射する。これにより、これらのＲＧＢ光でそれぞれ撮像された観察画像を合成して、カラーの観察画像を得て、表示部４００に表示させることができる。
【００９５】
このようにしてカラーの観察画像を表示させる際、照明光の色を切り替える切替周波数を、表示部４００で表示内容を更新する（画面を書き換える）際のフレームレートと一致させると、フレームレートが低い場合（例えば数Ｈｚ程度）は、ちらつきが顕著となる。特に、ＲＧＢの原色によるカラー切り替えが目立つと、ユーザに不快感を与えることがある。そこで、ＲＧＢの照明光を切り替える切替周波数を、ユーザが認識できない程度の高速（例えば数百Ｈｚ）とすることで、このような問題を回避できる。照明光の色の切り替えは、照明光出力部１３０等により行われる。また、高速で照明光のＲＧＢを切り替えつつも、実際に撮像手段１００で測定対象物ＷＫを撮像するタイミングは、表示部４００の表示内容の更新のタイミングとする。すなわち、観察像の撮像のタイミングと照明光の切り替えのタイミングは完全に一致させる必要はなく、撮像素子によるＲＧＢの観察画像の撮像が可能な程度に、いいかえると照明光のＲＧＢの切り替え周期が撮像周期の倍数となるようにリンクさせることで対応できる。この方法であれば、照明光の切り替えのタイミングを高速化することができ、撮像素子１２１ａで処理可能なフレームレートを向上させることなく、ユーザに与える不快感を低減できる。
【００９６】
図１の例では観察用照明光源３２０を撮像手段１００に対して外付けとして、光源部３００に観察用照明光源３２０を配置している。このようにすることで、観察用照明光源３２０の発熱が撮像手段１００の光学系に影響を与える事態を回避できる。ただ、発熱量の小さい観察用照明光源を利用したり、あるいは相応の放熱機構を撮像手段側に設ける等して、撮像手段側に観察用照明光源を設けることもできる。この場合、照明光出力部に観察用照明光源を組み込む等、照明光出力部と観察用照明光源を一体化することが可能となり、光源部と撮像手段とを光学的に接続するための導光部材を不要とでき、構成を簡素化できる。同様に投光部についても、投光用光源を撮像手段に内蔵したり、あるいは光源部側に外付けとすることもできる。
【００９７】
図４の照明光出力部１３０は、円環形状を有し、受光部１２０を取り囲むようにステージ１４０の上方に配置される。これにより、影が発生しないように照明光出力部１３０から測定対象物ＷＫに照明光が照射される。また照明光出力部１３０は、円環形状のリング照明とする他、同軸落射照明、側射スポット照明、透過照明等としたり、これらの組み合わせとすることもできる。また投光部１１０から均一光を照射して照明光とすることで、照明光出力部を省いてもよい。例えば投光部１１０として、二次元アレイを利用した白パターン画像投影を可能とすることで、投光部１１０を照明光出力部に兼用できる。このように、投光部１１０の二次元アレイの白パターン画像投影を観察用照明光源として使用する場合は、二次元アレイを透過又は反射した光を拡散板を通して測定対象物ＷＫに投影することにより、二次元アレイの画素格子が測定対象物ＷＫに映りこまないようにしてもよい。
（ＧＵＩの例）
【００９８】
形状測定装置は、制御手段２００であるＰＣに形状測定装置５００を操作するための操作プログラムをインストールしている。表示部４００には、形状測定プログラムを操作するためのＧＵＩ（Graphical User Interface）が表示される。このようなＧＵＩ画面の一例を図５に示す。この例においては、表示部４００において、第一投光部１１０Ａから第一測定光が照射された測定対象物ＷＫの第一測定画像Ｓ１と、第二投光部１１０Ｂから第二測定光が照射された測定対象物ＷＫの第二測定画像Ｓ２とが並ぶように、表示させることができる。この例では、表示部４００の左側に設けられた画像表示領域４１０の、右側に第一表示領域４１６を、左側に第二表示領域４１７を設けている。このような２画面表示とすることで、各測定光で得られる測定画像の様子、特に影となる領域等を対比しながら確認できる。なお、画像表示領域の分割例は、このように左右に並べる構成に限らず、上下に並べる、あるいは別画面として構成する等、任意の構成が適宜利用できる。
【００９９】
また形状測定装置の操作プログラムには、表示中の画像を、観察画像と測定画像とに切り替え可能な画像切替手段が設けられている。この例では、画像切替手段として、「観察画像」ボタン４２７を押下すると、観察用照明光源を用いて撮像した観察画像が画像表示領域４１０に表示され、また「測定画像」ボタン４２８を押下すると、測定光投光手段を用いて取得した測定画像が画像表示領域４１０に表示される。ユーザは、図１の制御手段２００の操作デバイス４５０でもって、ＧＵＩに設けられた操作領域４２０を操作して、例えば明るさ調整を行うことにより、第一投光部１１０Ａや第二投光部１１０Ｂから出射される測定光の明るさ又は対応するカメラ露光時間を変更することができる。ここでは、測定光の明るさを変えるパラメータを、カメラの露光時間としている。また必要に応じて、観察画像の撮像条件を設定する。図５の画像表示領域４１０の上段には、このような観察画像の撮像条件を設定するための観察画像撮像条件設定手段４９０が設けられている。観察画像撮像条件設定手段４９０は、例えば観察画像を撮像するシャッタースピード切り換えや撮像の倍率、フォーカス調整等の設定を含んでいる。図５に示す例では、撮像手段の明るさを「オート」又は「マニュアル」から選択する。「マニュアル」を選択した場合は、カメラ明るさ調整スライダでもって撮像手段の明るさを調整する。
【０１００】
上記のように、画像表示領域４１０には、第一投光部１１０Ａ、第二投光部１１０Ｂの各々により測定光を照射された場合における測定対象物ＷＫの画像が並ぶように表示できる。したがって、ユーザは、画像表示領域４１０に表示された測定対象物ＷＫの画像を見ながら、明るさ調整スライダ４４４、４４６の位置をそれぞれ移動させることにより、第一投光部１１０Ａ、第二投光部１１０Ｂの各々から出射される測定光の明るさ又はそれぞれの投光部１１０に対応したカメラ露光時間を適切に調整することができる。
【０１０１】
また、第一投光部１１０Ａ、第二投光部１１０Ｂから出射される測定光の適切な明るさと照明光出力部１３０から出射される照明光の適切な明るさ又はそれぞれの照明に対応したカメラ露光時間との間に相関がある場合がある。この場合、第一投光部１１０Ａ、第二投光部１１０Ｂの各々から出射される測定光の明るさ又はそれぞれの投光部１１０に対応したカメラ露光時間は、照明光出力部１３０から出射される照明光の明るさ又は照明光に対応したカメラ露光時間に基づいて自動的に調整されてもよい。
【０１０２】
あるいは、照明光出力部１３０から出射される照明光の明るさ又は照明光に対応したカメラ露光時間に基づいて、第一投光部１１０Ａ、第二投光部１１０Ｂの各々から出射される測定光の明るさ又はそれぞれの投光部１１０に対応したカメラ露光時間を適切にするための調整ガイドが表示部４００に表示されてもよい。この場合、ユーザは、調整ガイドに基づいて明るさ調整スライダ４４４、４４６の位置をそれぞれ移動させることにより、第一投光部１１０Ａ、第二投光部１１０Ｂの各々から出射される測定光の明るさ又はそれぞれの投光部１１０に対応したカメラ露光時間を適切に調整することができる。
【０１０３】
光の照射方向が異なれば、光の反射方向も異なるため、結果として得られる画像の明るさは、同じ部位であっても光の照射方向によって異なる。すなわち、測定に適した測定光の明るさ、撮像素子の露光時間は照射方向によって異なることになる。本実施形態では、複数の第一投光部１１０Ａ、第二投光部１１０Ｂから光を照射して撮像されたそれぞれの画像の明るさを個別に調整可能とすることにより、照射方向毎に適切な測定光の明るさ又は露光時間を設定することができる。また、明るさ調整中の画像は、画像表示領域４１０に更新されながら表示されるため、調整後の画像を確認しながら明るさを調整できる。この際に、画像表示領域４１０に表示された画像の中で、明るすぎて白とびしている部分や、暗すぎて黒つぶれしている部分を識別可能に表示することで、ユーザにとって明るさが適切に調整できているか否かをより判り易く表示することも可能である。
（テレセントリック両側投光光学系）
【０１０４】
ここで、テレセントリック両側投光の光学系の模式図を図６に示す。この図に示すように、ステージ１４０上に載置された測定対象物ＷＫに対して投光する投光部１２０を構成する投光光学系として、第一投光部１１０Ａで構成される右投光光学系と、第二投光部１１０Ｂで構成される左投光光学系がそれぞれ配置される。このように投光光学系を左右にそれぞれ設けることで、パターン光が影になって測定不能となる領域を低減できる等の利点が得られる。
【０１０５】
一方、受光１２０を構成する受光光学系は、低倍率用撮像素子１２０Ａと、高倍率用撮像素子１２０Ｂを備えている。中央のプリズム１２４の上方には、二分岐両側テレセントリック受光レンズ１２５が設けられている。またプリズム１２４の右側には、高倍率用撮像素子１２０Ｂが配置される。なお投光光学系は、図６に示すように、視野よりも広めに照射されている。
【０１０６】
受光光学系は、受光レンズ及びカメラユニットで構成される。受光レンズは精度を優先し、固定倍率のテレセントリック光学系としているが、ズームレンズとして広い倍率をカバーしても良い。形状測定装置は二分岐の固定焦点両側テレセントリック光学系を採用しており、カメラが低倍率用カメラ、及び高倍率用カメラの２個構成となっている。これにより、ズームレンズのような機械的な切り替えではなく、電気的な切り替えによる倍率変更が可能となり、機械位置決め精度に起因する測定精度ずれ等が発生しない、安定した測定性能が実現できる。
【０１０７】
左右両側投光による測定範囲について、図７の模式図に基づいて説明する。形状測定装置では、影領域（測定不能領域）を最小限とすべく、受光レンズを挟んで左右対称な方向からパターン投光が可能な構成としており、左右にそれぞれパターン投光光学系を配置している。
【０１０８】
受光レンズには、二分岐両側テレセントリック受光レンズ１２５を採用しており、測定対象物ＷＫの高さによる倍率変化が無い、真上から見た歪みの無い画像が取得できると共に、両側テレセントリック投光レンズの構成と合わせると、視野内どこでも投受光角度が一定であるという測定設定をシンプルにできる効果が発揮される。二分岐両側テレセントリック受光レンズ１２５は図７に示すように、２倍率が同軸な視野を有しており、倍率を切り替えても視野調整を不要にできるメリットがある。
【０１０９】
左右投光レンズ１１６からは、平行な光束として二次元パターン光が、測定対象物ＷＫに対して左右均等な投光角度から照射される。左右から受光レンズを挟んで対象に二次元パターン光を照射することの利点としては、前述の影を最小にする効果だけでなく、左右それぞれの測定結果を合成（例えば平均処理など）することにより、左右それぞれに発生する誤差を軽減できるという点が挙げられる。
【０１１０】
左右投光と測定範囲の関係において、図７の模式図に示すように、測定視野（ＸＹ方向）の広さは、受光レンズの光束の幅（図７における細線（低倍率）もしくは太線（高倍率）な光線の幅）で決定され、１組のパターン投影を用いた高さ測定の範囲については、投光と受光の関係性から決定される。図７における点線枠の領域のように、受光光束と左右からの投光光束の共通領域として深度測定範囲を定義する。すなわち、点線枠で示す左右投光照射の共通領域が、測定可能な高さのレンジを示す。このように深度測定範囲を決定することで、深度測定範囲の中であればどこで測定しても、左右からの光の当たり方が均一であり、また、左右それぞれの測定を平均化することで計測が安定する効果を深度測定範囲全域で実現できる。
（下ヘッド１０２）
【０１１１】
ステージ１４０は、ベース筐体１４９に連結されている。ベース筐体１４９やステージ１４０は、下ヘッド１０２としてユニット化されている。この下ヘッド１０２は、上ヘッド１０１と接続されている。ここで上ヘッド１０１と下ヘッド１０２を接続した形状測定装置１００の外観側面を図８に、下ヘッド１０２の部構成を図９に、それぞれ示す。上ヘッド１０１は、投光部１１０及び受光部１２０を収容する。また下ヘッド１０２は、ＸＹステージ１４１、Ｚステージ１４２、スケールユニット１６０、ステージ駆動部１４５、ベース筐体１４９、及び床面に設置される土台部１５１とを備える。ステージ１４０は、ＸＹステージ１４１とＺステージ１４２で構成される。ベース筐体１４９は、土台部１５１と上ヘッド１０１を連結する。なお、この構成は一例であり、 例えば上ヘッドと下ヘッド１０２を一体に構成することもできる。
【０１１２】
下ヘッド１０２は、ステージ駆動部１４５を通じて撮像手段１００の測定制御部１５０（上ヘッド１０１側）と電気的に接続される。またベース筐体１４９での機械的位置決め、及び位置決めボルトによって機械的に締結される。ベース筐体１４９に内蔵されたＺステージ１４２から、ステージ支持部１５２を介して、ＸＹステージ１４１を保持している。このＸＹステージ１４１の高さを、高さ検出用のスケールユニット１６０によって検知することで、測定時のステージ面高さを正確に認識することが可能となる。
（スケールユニット１６０）
【０１１３】
スケールユニット１６０は、センサ移動部１６１と、スケール部１６２を備える。センサ移動部１６１は、図９に示すように、ステージ支持部１５２の背面側に連結されて、ステージ支持部１５２と共に移動する。一方スケール部１６２は、ベース筐体１４９に固定されて、センサ移動部１６１の位置を検出する。このようにセンサ移動部１６１をスケール部１６２に沿って移動させて、受光部１２０の光軸方向におけるステージ１４０と受光部１２０との相対的な距離を検出する。この構成では、センサ移動部１６１がスケール部１６２に沿って摺動する摺動面が、ステージ１４０の高さすなわちワーキングディスタンスを測定する測定軸となる。図９のように、光軸の延長線と測定軸とを一致させることで、誤差の少ない測定が実現される。
【０１１４】
図８及び図９に示すように、ステージ駆動部１４５が、スケールユニット１６０に対してベース筐体１４９側に配置されている。これによって高荷重なＸＹステージ１４１の剛性を維持しながら、Ｚ方向に長ストローク稼働するステージ構成が実現されている。通常、高い剛性を維持したステージでは、クロスローラガイドやリニアガイドを用いられるところ、モーメント剛性を維持する観点からは、可動部の根元には十分な幅を持たせることが重要となる。この幅とストローク長との和が必要なガイド長となるため、通常は軽量なスケール部の可動部に比べて、Ｚステージガイドは長尺となる。そこで本実施形態においては、距離測定面と光軸方向駆動部１４６を独立に配置することで、長ストロークながら低床な筐体設計が可能となり、結果的に床振動等の外乱に対してより安定した計測器が実現できるメリットがある。
【０１１５】
なお、本実施例では、スケールユニット１６０をベース筐体１４９側に配置されている例を示したが、投光部、受光部が設けられた上ヘッド側に受光部の光軸と一致させて配置するようにしてもよい。特にステージ側でなく受光部側を駆動させる際には、駆動させる受光部側の移動量をスケールユニットで測定するように配置することが好ましい。
【０１１６】
一方で、センサ移動部１６１と光軸方向駆動部１４６を独立して配置することの欠点として、１方向ガイドを二重で構成する点が考えられる。距離の離れた２箇所に独立した直動ガイドを配置することで、お互いの真直度がクロストークし、コジル、直進性が悪化するなどのデメリットが考えられる。そこで、本実施形態に係る形状測定装置ではこれらの点に鑑みて、図９に示すように、スケールユニット１６０とステージ支持部１５２との接続を磁力で行う構成とし、強締結を避けたロバストな構成を実現している。
（連結部）
【０１１７】
図９に示すように、スライド移動するスケール部１６２の連結に磁石を使用している。またこの磁石面の締結には、一方を球状体１６３とし、他方を平板状の板材１６４とし、球状体１６３の球面で板材１６４の平板に点接触させた吸着としている。ここでは、球状体１６３を磁性体として、板材１６４を永久磁石製としている。球状体１０３は、保持部１６７で保持され、保持部１６７がステージ支持部１５２に固定される。さらに、平滑面を有する板状部材１６５を介在させている。
（ＸＹステージ１４１）
【０１１８】
ＸＹステージ１４１は内部に傾斜センサ、ステージ駆動部１４５（マイコン・ＦＰＧＡ・モータードライバ）を有する。またＸＹステージ１４１は、ステージ支持部１５２を通じて電気的にベース筐体１４９内部のステージ駆動部１４５と接続されている。ステージ支持部１５２とＸＹステージ１４１との電気接続をコネクタで構成することで、ＸＹステージ１４１も着脱可能な構成となり、チルト・回転ステージといった異なる視野調整ステージに切り替えることも可能となる。
（縞投影法による計測の流れ）
【０１１９】
次に、図４に基づいて、形状を測定する動作の流れの概要を説明する。なお、ここでの説明はすべてＺステージ１４２を高さ方向に固定した「ワンショット測定」におけるものとする。
【０１２０】
まずユーザは、計測したい測定対象物ＷＫをステージ１４０上に配置し、表示部４００に映し出された光学画像を見ながら焦点、視野位置、明るさなどを照明条件調整部で調節する。ここでは照明光出力部１３０として、リング照明を用いている。ただ照明光出力部１３０は、リング照明に限らず、例えば投光系照明部を構成する投光部１１０から均一照明を照射しても良い。
【０１２１】
次に、照明光をリング照明から投光部１１０に切り替えて、投光系照明光の明るさを調整する。投光部１１０による照明光は斜めから当たるため、測定対象物ＷＫの形状による影が発生する。また、測定対象物ＷＫの表面状態によっては、照明光を多少傾斜させたほうが良好な見え方になる場合もある。照明光を傾斜させるには、例えばステージ１４０を傾斜可能なチルトステージを用いたり、投光部１１０に傾斜機構を設ける。また照明光の影や表面状態の影響を抑えるために、必要に応じて測定対象物ＷＫの位置や姿勢を再調整する。
【０１２２】
このような投光部１１０での調整工程において、測定対象物ＷＫを移動させた場合は、再びリング照明に切り替えて、リング照明光での測定対象物ＷＫの見え方の確認や、リング照明光の明るさの再調整などを行う。なお、この作業は、不要であれば省略することもできる。
【０１２３】
測定対象物ＷＫの姿勢、位置、焦点、及び計測用の照明条件が確定したら、制御手段２００から、測定開始の指令を測定制御部１５０に送信する。制御手段２００は、上述の通り形状測定プログラムをインストールしたコンピュータで構成される。この指令を受けて、測定部は投光部１１０内のパターン生成ユニットと撮像手段１００を同期制御し、複数のパターンを投影しながら、測定対象物ＷＫの複数の画像を撮像手段１００で取得し、制御基板３１０にて適切な処理を施した後、制御手段２００に送信する。
（高さ画像の生成）
【０１２４】
制御手段２００が受け取った画像データは、形状測定プログラム内の計測アルゴリズムで適切に画像処理され解析されて、立体形状データが生成される。具体的には、高さ画像生成部２１２ｂにより、高さ情報を有する高さ画像が生成される。
（テクスチャ画像の生成）
【０１２５】
一方で、測定対象物ＷＫに照明光を照射し、測定対象物ＷＫの表面状態を示す画像であるテクスチャ画像を撮像手段１００で取得する。例えば、測定対象物ＷＫにリング照明を照射したり、あるいは投光部１１０から、すべての画素をＯＮにした投光パターン（全白）を照射する等して、均一な照明光で光学画像を撮像し、テクスチャ画像とする。
【０１２６】
またテスクチャ画像は、一枚のみならず、複数枚撮像してもよい。この際、複数のテクスチャ画像を合成してＨＤＲ画像や深度合成画像を生成することもできる。ＨＤＲ（ハイダイナミックレンジ）画像は、複数枚のテクスチャ画像をカメラの露光時間を変えて撮像した後、これらをハイダイナミックレンジ（ＨＤＲ）合成して生成される画像である。また深度合成画像は、測定対象物ＷＫの測定対象部分の高低差が被写界深度を超える場合、高さ方向を異ならせて個々に撮像した観察画像中から、焦点が合った部分だけを抜き出して合成した画像である。
（合成画像の生成）
【０１２７】
得られたテクスチャ画像も、制御手段２００に転送される。制御手段２００は、テクスチャ画像と高さ画像を合成して合成画像を生成する。例えば、形状測定プログラムにて立体形状データである高さ画像にテクスチャ画像をマッピングして、三次元画像合成部で合成画像データを生成する。合成画像は、表示部４００に表示される。この状態で、合成画像に対して所望の計測、解析を行うことができる。
（形状測定方法）
【０１２８】
以上説明した合成画像を生成して形状測定を行う手順を、図１０のフローチャートに基づいて説明する。まずステップＳ１００１において、測定対象物ＷＫをステージ１４０に置く。
【０１２９】
次にステップＳ１００２において、リング照明を使用して、測定対象物ＷＫの位置、姿勢、焦点、明るさを調整する。
【０１３０】
次にステップＳ１００３において、投光系に切り替えて、投光系照明の明るさ、測定対象物ＷＫの位置や姿勢を調整する。
【０１３１】
次にステップＳ１００４において、リング照明に再び切り替え、さらに投光系に切り替えて、見え方を確認する。
【０１３２】
次にステップＳ１００５において、見え方に問題はないか確認する。問題があればステップＳ１００２に戻って、上記の処理を繰り返す。一方問題がなければ、ステップＳ１００６に進み、計測開始ボタンを押す。
【０１３３】
次にステップＳ１００７において、投光系から縞パターンを投影、スキャンし、これと同期してカメラで測定対象物ＷＫの複数枚の縞画像を取得する。ここで左右投光、ＨＤＲ、その他の性能改善のため、本ステップを規数回繰り返してもよい。例えば露光時間を変えて複数回パターン光を投影することで、ハレーションの影響を軽減できる。
【０１３４】
次にステップＳ１００８において、リング照明を点灯し、測定対象物ＷＫのテクスチャ面像を取得する。
【０１３５】
次にステップＳ１００９において、縞画像セットを計測アルゴリズムで処理し、立体形状データを生成する。
【０１３６】
次にステップＳ１０１０において、立体形状データにデクスチャ画像をマッピングする。
【０１３７】
次にステップＳ１０１１において、結果を表示させる。そしてステップＳ１０１２において、目的の箇所のデータが正しく取得できたか否かを判定し、否の場合はステップＳ１０３に戻って上記の処理を繰り返す。一方、取得できている場合はステップＳ１０１３に進み、計測用ソフトなどを使用して、各種計測、解析を実行する。
【０１３８】
以上のようにして、形状測定装置を用いて合成画像を生成して、形状測定を行うことができる。なお図１０のステップＳ１００１とステップＳ１００２は、順序を入れ替えても良い。その場合はまず計測設定（ステップＳ１００２）にて測定対象物ＷＫの姿勢、位置、焦点合わせを行い、テクスチャ画像取得（ステップＳ１００１）では測定対象物ＷＫの姿勢、位置、焦点を変更しないようにして、リング照明の明るさやテクスチャ種類の選択などのみを行うようにする。
（テクスチャ画像を取得する手順）
【０１３９】
次にテクスチャ画像を取得する手順を、図１１のフローチャートに基づいて説明する。この手順は、図１０のステップＳ１００２の工程を詳細に説明したものに相当する。まずステップＳ１１０１において、リング照明に切り替える。
【０１４０】
次にステップＳ１１０２において、リング照明の明るさを調整する。そしてステップＳ１１０３において、明るさが適切かどうかを判定し、適切でない場合は  ステップＳ１１０２に戻って処理を繰り返す。一方、明るさが適切な場合はステップＳ１１０４に進み、Ｚステージ１４２を移動させて、測定対象物ＷＫの焦点位置を合わせる。さらにステップＳ１１０５において、焦点位置が合っているかどうかを判定し、合っていない場合はステップＳ１１０４に戻って処理を繰り返す。一方、焦点位置が合っている場合は、ステップＳ１１０６に進み、ＸＹ・θ・チルトステージを移動させて、測定対象物ＷＫの位置、姿勢を合わせる。なお、これらのステップＳ１１０２〜ステップＳ１１０６は、順序を適宜入れ替えてもよい。
【０１４１】
次にステップＳ１１０７において、見たい部位が視野内収まっているかを判定し、収まっていない場合はステップＳ１１０６に戻って処理を繰り返す。一方、収まっている場合はステップＳ１１０８において、倍率を変更してサイズを調整する。
【０１４２】
次にステップＳ１１０９において、倍率が適切か否かを判定し、否の場合はステップＳ１１０８に戻って処理を繰り返す。一方、倍率が適切な場合はステップＳ１１１０に進み、テクスチャ画像の種類を選択するか否かを判定する。否の場合はステップＳ１１１１に進んで通常画像を選択し、この処理を終了する。
【０１４３】
一方、テクスチャ画像の種類を選択する場合は、ステップＳ１１１２に進み、深度合成を行うか否かを判定し、行う場合はステップＳ１１１３に進み、深度合成の設定を実行する。一方、行わない場合はステップＳ１１１４に直接ジャンプする。
【０１４４】
次にステップＳ１１１４において、ＨＤＲを行うか否かを判定し、行う場合はステップＳ１１１５に進み、ＨＤＲの設定を実行する。一方、行わない場合はステップＳ１１１６に直接ジャンプする。
【０１４５】
次にステップＳ１１１６において、テクスチャ画像の確認を行うか否かを判定し、行う倍はステップＳ１１１７に進み、テクスチャ画像のプレビューを表示させる。一方、行わない場合はこの処理を終了する。
【０１４６】
次にステップＳ１１１８において、プレビュー表示されたテクスチャ画像の結果に満足したか否かを判定し、否の場合はステップＳ１１１２に戻って処理を繰り返す。一方、満足した場合は、この処理を終了する。以上のようにして、テクスチャ画像を取得することができる。
（測定設定の設定を行う手順）
【０１４７】
立体形状データを生成するための測定設定は、投光部のパターン光の投光条件や、受光部の受光条件や撮像条件、照明部の照明条件等を含んでいる。これらの測定設定は、図１等の測定設定部２５５で設定される。ここで測定設定の設定を行う手順を、図１２のフローチャートに基づいて説明する。この手順は、図１０のステップＳ１００３の工程を詳細に説明したものに相当する。
【０１４８】
まずステップＳ１２０１において、計測用投光系（図４において左側投光系）に切り替える。次にステップＳ１２０２において、明るさを仮に調整する。
【０１４９】
そしてステップＳ１２０３において、計測箇所に照明が当たっているか否かを判定し、否の場合はステップＳ１２０４において、θ・チルトステージを動かして、測定対象物ＷＫの位置、姿勢を調整する。一方、計測箇所に照明が当たっている場合は、ステップＳ１２０６に直接ジャンプする。
【０１５０】
次にステップＳ１２０５において、照明が当たったか否かを判定し、ステップＳ１２０４に戻って処理を繰り返す。一方、照明が当たっている場合はステップＳ１２０６において、計測箇所の明るさが適切か否かを判定する。否の場合は、ステップＳ１２０７において明るさを調整する。一方、照明が当たっている場合は、ステップＳ１２０９に直接ジャンプする。
【０１５１】
次にステップＳ１２０８において、明るさが合っているかを判定し、否の場合はステップＳ１２０７に戻って処理を繰り返す。一方、明るさが合っている場合はステップＳ１２０９において、計測箇所に焦点が合っているかを判定する。否の場合はステップＳ１２１０において、ステージ１４０を動かして、計測箇所に焦点を合わせる。一方、明るさが合っている場合は、ステップＳ１２１２にジャンプする。
【０１５２】
次にステップＳ１２１１において、焦点が合っているか否かを判定し、否の場合はステップＳ１２１０に戻って処理を繰り返す。一方、焦点が合っている場合はステップＳ１２１２に進み、総合判断を行う。ここでは、計測箇所の明るさ、姿勢、焦点が適切か否かを判定し、適切でない場合はステップＳ１２１３において、適切でないパラメータを確認し、適切な手順に戻る。戻る先は、適切でないパラメータに応じて、ステップＳ１２０４、ステップＳ１２０７、ステップＳ１２１０の何れかとなる。
【０１５３】
一方、総合判断において適切と判定された場合は、ステップＳ１２１４に進み、計測用投光系（図４において右側投光系）に切り替える。次にステップＳ１２１５において、明るさを調整し、さらにステップＳ１２１６において、明るさが合ったか否かを判定する。合っていない場合はステップＳ１２１５に戻って処理を繰り返す。一方、明るさが合っている場合はこの処理を終了する。
【０１５４】
なお、これらの手順において位置調整、姿勢調整、焦点調整、明るさ調整の順序は、適宜入れ替えることができる。
【０１５５】
このようにして、測定設定を設定することができる。また測定設定は、ユーザが測定設定部２５５から自動で行う他、形状測定装置側で自動で行わせることもできる。
（深度方向の測定範囲拡張機能）
【０１５６】
本実施形態においては、非接触測定方式として、三角測距方式に基づくパターン投影法を採用している。この方式では、１回の深度測定範囲が広い三角測距方式をベースにしながら、測定対象物もしくは形状測定装置の位置を物理的もしくは光学的に移動させて測定を繰り返し、測定結果を合成していくことで、１回の測定で実現できる深度測定範囲を、移動した分だけ拡張することが可能となる。この結果、高速に、かつ三角測距方式よりも広い範囲を測定可能となり、より広い視野を高い分解能で計測可能な形状測定装置や形状測定方法を実現できる。そして、深度方向の測定範囲を各視野において拡張することが可能となる。
【０１５７】
実施形態１に係る形状測定装置は、図８、図９等に示すように、非接触で測定対象物の表面形状を測定可能であり、縞投影法を用いた三角測距方式で１回の測定で受光光学系視野内の各画素における高さ情報を取得することができる。また形状測定装置は、測定部と相対的に移動可能なステージ１４０を有しており、ステージ高さ読取軸と観察光軸とが共通の軸を有している。
【０１５８】
この形状測定装置は、１つの上ヘッド１０１の内部に２つの倍率で観察可能な二分岐受光光学系を有している。これにより、同軸視野で倍率を切り替えた測定が可能となる。低倍率、高倍率の２倍率は同一の光軸を有している。この光軸と受光光学系の最良フォーカス面（合焦面）との交点を中心に、左右対称な方向に傾斜したパターン投光光軸を有する。このパターン投光光軸方向から、それぞれパターン投影を行い、複数の画像を受光光学系で撮像・解析して、高さ情報を算出する。
（測定範囲）
【０１５９】
形状測定装置の合焦面と測定範囲は、図７に示すように、上ヘッド１０１は真上から真下を見下ろす方向に撮影視野を有している。上ヘッド１０１の下部に配置されたＸＹＺステージ上の測定対象物を、真上から測定する形態となっている。ユーザは測定対象物をＸＹＺステージの天面に配置し、ＸＹステージ１４１を動かすことで視野を、Ｚステージ１４２を動かすことでフォーカスを調整することができる。あるいは、受光光学系側を移動させることでも、測定対象物と受光光学系との相対距離（ワーキングディスタンス）を変化させてフォーカスを調整することができる。なお、ここで言うフォーカスとは、受光光学系の合焦を意味する。この形状測定装置では、図７に示すように、高さ方向の深度測定範囲はこの合焦面を中心に上下に対象な一定の幅を持っている。ただ、対称であることは必須でない。
【０１６０】
ＸＹＺステージは、Ｚステージ１４２が受光光軸と略一致する方向に配置されている。これによりＺステージ１４２の移動のみで、光軸方向の測定対象物高さ（もしくは相対的な上ヘッド１０１と測定対象物の光軸方向の位置関係）を変更できる。また、Ｚステージ１４２の内部には、Ｚステージ１４２の移動距離を検出可能なスケールユニット１６０が配置されている。スケールユニット１６０は、図８、図９等に示す通り、上ヘッド１０１の視野直下に配置されている。このようにスケールユニット１６０が視野直下に配置されていることで、深度測定範囲と測定対象物の位置関係を最小の誤差で検出可能となる。一般に、検出を行いたい座標点に対して、検出を行うセンサの位置すなわち測定軸が、測定対象物の測定位置からオフセットしている場合は、アッベの原理に基づいて計測誤差が発生し得る。図１３Ａで示すように測定したい位置と並列状に測定軸を配置する場合に、この状態が発生する。その一方でアッベの原理によれば、図１３Ｂで示すように測定軸と測定対象物の測定位置とが同一平面の延長線上にあるときは、このような測定誤差を極減できる。
（深度拡張機能）
【０１６１】
深度測定範囲を高さ方向に拡張するため、光軸方向駆動部１４６でもってステージ１４０と受光部１２０との相対距離を光軸方向に移動させる。受光部１２０は、所定の焦点深度を有しており、焦点深度により定まる一定範囲の高さ（深度測定範囲）でしかパターン画像を撮像できない。そこで、光軸方向駆動部１４６でもって深度測定範囲をシフトさせることで、測定可能な深度測定範囲を拡張できる。すなわち、同じ視野（受光部１２０の光軸方向と直交するステージ平面内）で生成した高さ画像を、対応するＸＹ座標の画素毎に高さ方向に連結することで、深度測定範囲の制約を超える高さの合成高さ画像を得ることが可能となる。
【０１６２】
このような深度拡張機能に際しては、同じ視野すなわちＸＹ平面の範囲内で生成された高さ画像同士を連結することが必要となる。また、同じ条件で生成した高さ画像同士を連結する必要がある。具体的には、図７に示すような左右の投光部１１０からパターン光を投光する場合は、両側から投光して生成した高さ画像の場合は、両側投光の高さ画像同士を連結して合成高さ画像を生成する。またいずれか一方の投光部１１０を用いる片側投光で生成された高さ画像の場合は、同じく片側投光の高さ画像同士を連結する。この際、右側投光なら右側投光の高さ画像同士を、左側投光なら左側投光の高さ画像同士を、それぞれ連結する。
【０１６３】
図７等の例では、Ｚステージの移動を伴いながら複数の測定を実行し、その測定結果を、測定を実行した各Ｚステージ高さを元に結合していくことで深度測定範囲を拡張できる。このような、Ｚステージ高さを固定した１回の測定を「ワンショット測定」と呼び、複数のＺステージ高さで測定した結果を結合した測定を「深度拡張測定」と呼ぶ。
【０１６４】
ここで、深度測定範囲の高さ方向拡張の概念を、図１４Ａ〜図１４Ｃを用いて説明する。図１４Ａ〜図１４Ｃは、高さＡ、高さＢ、高さＣのそれぞれにおいて、左投光範囲と右投光範囲で規定される深度測定範囲を、破線の枠状で示している。
【０１６５】
形状測定装置の有する深度測定範囲ＨＩＡ（図１４Ａの点線枠で示す範囲）よりも高い構造を有する測定対象物ＷＫ２を測定する場合、Ｚステージ１４２を高さ方向に移動（高さＡ→Ｂ→Ｃ）することで、測定対象物ＷＫ２の各面を深度測定範囲に収めることが可能となる。（図１４Ａ〜図１４Ｃの太線）
【０１６６】
このときに観察される光学画像を、図１５Ａ〜図１５Ｃに、また縞投影法で取得される縞画像を、図１５Ｄ〜図１５Ｆに、それぞれ示す。図１５Ａ〜図１５Ｃにおいて、焦点の合った領域を模式的に斜線で示している。
【０１６７】
図１５Ａ、図１５Ｄでは、高さＡで測定対象物の最低面に焦点が合っており、測定対象物の最下部の形状を測定することができる。また図１５Ｂ、図１５Ｅに示すようにＺステージ１４２を少し下げた高さＢでは、高さＡでは深度測定範囲外（縞画像上で縞のぼけが大きい箇所、赤点線領域）だった箇所に焦点が合い、この面を中心に一定の幅に収まっている領域の形状を測定可能となる。さらにＺステージ１４２を下げた高さＣでは、図１５Ｃ、図１５Ｆに示すように測定対象物の最高点に存在する形状（赤点線）に焦点があり、この面を中心に一定の幅に収まっている領域の形状を測定可能となる。
【０１６８】
この３つの高さにおいて、Ｚステージ１４２の高さは、スケールユニット１６０によって検出されており、ワンショット毎のステージ高さ座標を取得することが可能である。スケールユニット１６０は、ステージ１４０と受光部１２０の光軸方向との相対的な距離を示すスケール値を出力する。
【０１６９】
ここで、３回の測定で得られたワンショット毎の測定結果を連結する手順を、図１６Ａ〜図１６Ｄの模式図に基づいて説明する。図１６Ａ〜図１６Ｄに示すように、ワンショット毎の測定で一定の高さ範囲（それぞれ図１６Ａは点線枠、図１６Ｂは破線枠、図１６Ｃは一点鎖線枠）の測定データが得られる。この際、ステージ１４０の相対的な移動量、もしくは絶対的なステージ高さを測定時に検出する。この検出された座標を測定データ原点の値としてオフセットさせることで、各ショットの相対関係が定義されることとなる。この結果を足し合わせることで、通常のワンショット深度測定範囲を拡張した連結測定データが得られる。
【０１７０】
このように、スケールユニット１６０で各高さ画像が取得された時のスケール値を記憶し、合成時には各高さ画像の画素値をスケール値に基づいてオフセットして合成する。具体的には、合成処理部２１６は、各高さ画像が生成された際のスケールユニット１６０のスケール値を記憶しておき、高さ画像を合成する際には、各高さ画像の画素値をスケール値に基づいてオフセットして合成する。
【０１７１】
以上のようにして、縞投影によって一回の撮像で測定可能なワンショット測定を、繰り返し行って高さ方向を連結することで、深度方向に拡張した測定が可能となる。なお、ワンショット深度測定範囲の連結に際しては、必ずしも連続させる必要はなく、深度方向に離間させた離散的なワンショット測定であってもよい。例えば、ユーザが手動で深度拡張を行う場合は、測定に必要な領域のみの立体形状データを取得すれば足り、測定対象物の高さ方向のすべての情報を必要としない場合もある。
（マスク領域）
【０１７２】
また深度方向に自動拡張する場合においても、深度拡張したい範囲をユーザが設定することもできる。例えば深度拡張処理部２１５に、光軸方向駆動部１４６を制御して受光部１２０の焦点位置を変更する範囲を設定するための深度範囲設定部２５３を備え、深度範囲設定部２５３でユーザが深度拡張に際して不要な範囲としてマスク領域を設定してもよい。このように深度拡張測定は、ワンショット測定の連続的な連結のみならず、離間させた連結も含む。
【０１７３】
上述した通り、測定対象物の測定と共に、Ｚステージ１４２の高さを検出することで、Ｚステージ移動量に対する実際の移動量の誤差を考慮しなくて済むようになる。ここで仮にＺステージの高さ検出を行わない場合を考えると、この場合はＺステージの移動パルス（移動指示量）に基づいて各ワンショットの原点指定をすることになるが、ステージ移動誤差がそのまま連結測定誤差になる。これに加えて、形状測定装置の構成によっては、図１３Ａで示したとおり、移動駆動軸と実際の測定対象物積載位置とのずれが原因で、アッベの原理に基づく誤差も発生し得る。これに対して、図１３Ｂに示すように、Ｚステージの高さを検出すると共に、ステージ１４０の高さを検出する測定軸を光軸に近付けることで、誤差を低減して高精度な高さ検出が実現される。また、このことで高さ方向の合成に際しても、精度を向上させることが可能となる。
【０１７４】
ステージ１４０を深度方向に拡張して測定するにあたっては、測定対象物や受光部１２０の位置を物理的又は光学的に移動させた移動量を正確に検出することが求められる。この移動量の正確な検出において、測定器の持つ撮影視野と直動移動の検出位置は、アッベの原理に基づくと、一致していることが望ましい。一方で、長いストロークのステージの移動を検出する場合、その検出機構も長尺となる傾向にある。そのため、ステージの直下にセンサを配置する場合、移動ストロークに合わせてより長いセンサユニットを配置することとなり、筐体全体の全長を大きくせざるを得ない事情がある。
【０１７５】
さらには、一般にセンサ移動部に比べ、直動機構そのものは長い構造を必要とする。なぜなら、移動するステージの剛性を高めるため、移動量に対してさらにベース筐体の幅が加算されるからである。またガイドのオーバーハングによる寸法増加も避けられない。結果的に、ステージ全体の高さが増していくこととなり、ステージの天面が設置底面よりも高くなり、ユーザの利便性を低下させる、振動による測定対象物の振幅が増加傾向にある、といったデメリットが増えていく。このような事情を鑑みて、本実施形態ではステージ１４０の高さを検出するスケールユニット１６０を視野直下に配して、ステージ駆動軸の配置自由度を高めている。
【０１７６】
図１６Ａ〜図１６Ｄに示す例では、測定対象物ＷＫ２として比較的単純な段差を有する場合を示した。測定対象物によっては、二段階のＺステージ高さ（例えば図１５Ａの高さＡと図１５Ｂの高さＢ）で測定対象物の高さ方向全体を測定領域に収めることが可能となる。このような、各高さにおける複数のワンショットデータにおいて、共通する高さ情報の合成について説明する。
（共通高さ情報の合成ロジック）
【０１７７】
共通する高さ情報の合成方法は、重み付き平均を計算する方法、又は高さ情報の信頼性から片方のみ採用する方法がある。それぞれの高さ情報がほぼ同じ高さを示している場合は、より合焦面に近い位置で得られた高さ情報の方が、誤差が少ないと考えられる。このことから、合焦面からの距離に応じた重み付き平均により計算を行う。
【０１７８】
一方、それぞれの高さ情報が大きく異なる場合は、測定対象物内部での光の多重反射等の影響により、いずれかの高さ情報がノイズである可能性が高い。そのため、この場合は、画像のぼけ具合、もしくは照明の有無での輝度のコントラストなどから、いずれの高さを採用するか判定するための信頼度を求め、信頼度の高い方を採用する。
（信頼性の低いデータ）
【０１７９】
高さ画像に含まれるデータの内、信頼性の高い画素については、表示部４００上に表示させたり、測定に使用する。一方で、信頼性の低いデータについては、誤差を含んでいることが懸念されるため、表示部４００上に表示させず、また測定等にも使用しない。
【０１８０】
一方で、信頼性の低いデータであっても、深度拡張に際して、立体形状データが存在しているか否かの判定には用いることができる。深度方向に拡張して高さ画像を取得するかどうかは、その高さ方向に測定対象物が継続して存在するかどうかが判定できれば足り、高い精度は要求されない。そこで本実施形態においては、通常の測定や高さ画像の構築には用いられない、信頼性の低いデータであっても、深度拡張の要否の判定にはこれを用いることが可能となる。
【０１８１】
一例として、ある測定対象物について、形状測定装置の仕様上の制約で一定高さまでの深度測定範囲で生成された高さ画像を図１７Ａ〜図１７Ｂに示す。この図において図１７Ａは、深度測定範囲内において信頼性の低い画素については、非表示としている。このように、表示部４００において高さ画像を表示させる際には、信頼性の高い画素は表示させ、信頼性の低い画素は表示させないことが一般的である。一方で、図１７Ａの高さ画像において、信頼性の低い画素も表示させた例を図１７Ｂに示す。この図において、破線で囲んだ領域で示す円柱状の上端面の画素については、精度が悪いため測定対象物の寸法計測等に用いるデータとしては不適であるものの、この測定対象物は円柱の上端面よりも上方に連続して存在しているであろうことは推測できる。したがって深度拡張測定を実行する際は、上方にさらに深度測定範囲を設定することで、より広範な範囲での高さ画像を生成できる。同様に、他の形状の測定対象物の高さ画像を図１８Ａ〜図１８Ｂに示す。この図において図１８Ａは、信頼性の低い画素を非表示とした高さ画像を、図１８Ｂは信頼性の低い画素も含めて表示させた高さ画像を、それぞれ示している。同様に図１８Ｂにおいて破線で囲む領域を用いることで、これよりもさらに上方に連続して測定対象物が存在していることが推測でき、深度拡張測定に際して深度を拡張する方向をこの立体形状データから判定することが可能となる。
（立体形状データの端部の画素）
【０１８２】
このように、高さ画像の端部に位置する立体形状データでもって、深度拡張測定を行うか否かを判定することができる。なお、本発明は深度拡張測定に際して、立体形状データの端部の画素に基づいて判定を行う方法に限らず、深度測定範囲の中間のデータに基づいて判定してもよい。例えば端部から所定距離離れた位置の画素が立体形状データを有するか否かに基づいて判定したり、あるいは深度測定範囲のいずれかの画素が立体形状データを有しておれば、深度拡張測定を実行するように構成することもできる。例えば、最終的な立体形状データが得られていない画素の中で、パターンが投影されていることが判定できる程度の輝度値が得られている画素がいずれかに存在する場合に、未測定画素が存在すると判定処理部で判定して、深度拡張測定を実行するように構成してもよい。この場合、ノイズや誤検出を避けるため、立体形状データを有する画素の数や領域、体積が一定以上である場合とするなど、しきい値を設定することが好ましい。
（表示モード切替部）
【０１８３】
このように本実施形態に係る形状測定プログラムにおいては、信頼性の低い画素についても、表示部４００上に表示させることが可能となる。例えば表示モード切替部でもって、信頼性の低い画素データを非表示とする通常表示モードと、信頼性の低い画素データについても表示させる可視化モードを切り替え可能とすることができる。上述した図１７、図１８の例では、図１７Ａ、図１８Ａは通常表示モード、図１７Ｂ、図１８Ｂは可視化モードを、それぞれ示している。
（立体形状データに基づく深度拡張測定の要否判定）
【０１８４】
以上の例では、高さ画像を構成する画素データ、すなわち高さ情報を演算したデータに基づいて、深度拡張測定の要否を判定する例を説明した。ただ本発明は、深度拡張測定の要否判定を、高さ画像に限定せず、高さ情報を演算する前の元データや生データに基づいて、これらの要否判定を行うように構成してもよい。このような例を図１９や図２０に基づいて説明する。図１９は、測定対象物に縞パターンを投影した縞画像の例を示している。この図において、破線で囲んだ領域は、深度測定範囲外にあるため、縞パターンのコントラストが低い。ただ、このような深度測定範囲外であっても、縞パターンが投影されているため、他の縞パターンと比べて精度は落ちるものの、深度拡張測定の要否判定には利用可能である。すなわち図１９の例では、測定対象物が深度測定範囲よりも高い位置に形状を有している（ここでは円筒状に突出している）ことが把握できるので、この方向に深度拡張測定を行うことが有効であることが、当該深度測定範囲の外側の縞パターンによって判定できる。
【０１８５】
さらに、深度拡張測定を行うに際して、上方向に拡張するか、下方向拡張するかの判定も、このような立体形状データに基づいて行うことができる。例えば図２０に示す測定対象物の例では、図において上側と下側に、深度測定範囲外の部分が存在している。この内、太線の破線で囲んだ上側の領域の方が、細線の破線で囲んだ下側の領域よりも輝度が高い。一般には、深度測定範囲外のデータについて、カメラや照明に近い側が明るく、遠い側がくらい傾向にある。よって、投影パターンの明るさやコントラストに基づいて、深度測定範囲外のデータが、該高さ範囲の高い方の外側に存在しているのか、低い側の外側に存在しているのかを判別できる。よって、いずれの方向に深度拡張測定を行えば、この部分の高さ画像を取得できるのかを推定することが可能となる。
（移動ピッチ）
【０１８６】
高さ画像を連続するように連結する場合において、Ｚステージ１４２を移動させる位置は、高さ画像の連結時に高さ方向の隙間が生じないように、各Ｚステージ位置の差が、深度測定範囲の高さ以下になるようにする必要がある。合成時に高さが滑らかにつながるようにするため、図１６Ｄに示すように、深度測定範囲が一部オーバーラップするよう、深度測定範囲の高さより若干短い方が望ましい。ただし、オーバーラップ領域が大きすぎると、連結に必要な合計枚数が大きくなり、測定時間とのトレードオフが生じる。このため、深度測定範囲の１％〜３３％程度をオーバーラップさせることが好ましく、また５％〜２５％がより好ましく、１０％〜２０％がさらに好ましい。
（テクスチャ画像の移動ピッチ）
【０１８７】
合成画像の生成に際して、高さ画像を複数枚撮像するためにＺステージを深度方向に移動させる移動ピッチと、テクスチャ画像を撮像する移動ピッチとは、一致させてもよいが、必ずしも一致させる必要はなく、これらを独立して設定することもできる。特に高さ画像については、縞画像等のパターン画像の焦点が必ずしも合っていなくても、コントラスト差などが確認できれば高さ情報の計測は可能となる。一方でテクスチャ画像については、焦点が合っていないと見栄えの影響が大きい。このため、テクスチャ画像の移動ピッチを、高さ画像の移動ピッチよりも細かくすることが、いいかえるとテクスチャ画像の枚数を多くすることが好ましい。細かな移動ピッチで撮影された複数のテクスチャ画像を深度合成することにより、ほぼ全体でピントの合った鮮明な深度合成画像が得られる。この深度合成画像を、高さ画像を合成して得られた合成高さ画像にマッピングすることにより、鮮明なテクスチャ情報と、深度が深い高さ情報を有する立体形状データを取得することができる。
【０１８８】
一方、高さ画像を複数枚撮像するために、ステージを深度方向に移動させる都度、テクスチャ画像も一緒に撮像し、撮像したテクスチャ画像を深度合成し、深度合成したテクスチャ画像を、高さ画像を合成して得られた合成高さ画像にマッピングするようにしてもよい。この場合、深度合成画像の鮮明度は落ちるものの、高さ画像を撮像するためのステージ移動以外に、深度合成画像を得るためのステージ移動が不要となるので、処理に時間がかからないメリットがある。
【０１８９】
ここで、連結時の画像の粗さ (相対値)と移動ピッチの関係を図２１のグラフに示す。図２１において、横軸は深度測定範囲高さに対する移動ピッチを、縦軸は平面を斜めに連結したときの面粗さを、それぞれ示している。この図に示すように、移動ピッチを大きくしていくにつれて、粗さが大きくなることが判る。
【０１９０】
なお以上の例においては、Ｚステージを移動させる移動ピッチを一定量としたが、本発明はこの構成に限らず、例えばユーザが指定する任意の移動量とすることもできる。
（高さ画像の連結領域）
【０１９１】
このように複数の高さ画像を連結する際、高さ画像同士で高さ方向に重複している領域の扱いが問題となる。すなわち、連結対象の２つの高さ画像で、重複する部分の高さ情報として、合成高さ画像ではいずれを用いるべきかを決める必要がある。このため合成処理部２１６は、重複する部分の扱いを予め定めている。例えば図１６Ａで得られた高さ画像ＨＩＡを、図１６Ｂで得られた高さ画像ＨＩＢと連結する場合、図１６Ｄの合成高さ画像ＣＨＩにおいて、高さ画像ＨＩＡの上方と高さ画像ＨＩＢの下方とが重複領域ＯＬ１において重複している。同様に高さ画像ＨＩＢを画像ＨＩＣと連結する場合、高さ画像ＨＩＢの上方と高さ画像ＨＩＣの下方とが重複領域ＯＬ１において重複している。このような場合に合成処理部２１６は、信頼性指標に基づいて重複領域を処理する。
（信頼性指標）
【０１９２】
ここで信頼性指標とは、深度測定範囲が重複する重複領域において、各高さ画像が対応するステージ平面内の画素の有する高さ情報が、真値すなわち真の高さにどれだけ近いかを示す指標である。高さ情報を高さ画像を構成する画素の画素値とする場合は、画素値の信頼性を示す指標といえる。
【０１９３】
このように、複数の高さ画像を深度方向に連結するに際して、単純な加算平均などを用いずに信頼性指標を用いることで、重複する領域における高さ情報の信頼性を高めた合成高さ画像を得ることができる。
【０１９４】
具体的な信頼性指標としては、受光部１２０の焦点位置からの距離が近い方を採用する。高さ画像をパターン投影法で作成する場合は、焦点位置でなくともパターン画像（例えば縞画像）が得られ、高さ情報の演算が可能であるものの、焦点位置に近い程パターン画像が鮮明となって、高さ情報の精度が高い傾向にある。そこで、焦点距離を信頼性指標として用い、その高さ画像を生成した際の焦点位置と、注目画素との距離が近いほど、得られた高さ情報の信頼性も高いと判断できる。
【０１９５】
あるいは、信頼性指標として周囲画素とのコントラストを用いてもよい。具体的には、ある高さ画像の画素の信頼性指標として、この高さ画像を生成する元となったパターン画像における対応する画素と、この画素の周囲に位置する画素とのコントラストとする。周囲の画素とのコントラストが高い程、境界が鮮明なパターン光となって高さ情報を精度よく演算できる。あるいはまた、元のパターン画像の輝度値等を信頼性指標として用いてもよい。
【０１９６】
このようにして得られた信頼性指標に基づいて、信頼性指標が高い方の画素を、合成高さ画像の画素として採用することができる。
【０１９７】
なお、そもそも高さ情報が得られていない画素の場合は、無効として、高さ情報の得られている方の画素を用いる。両方の画素で高さ情報が得られていない場合は、合成高さ画像においても高さ情報は無効（ｎｕｌｌ）となる。例えば深度測定範囲が重複する領域において、高さ画像の対応するＸＹ座標の画素値について、一方の高さ画像の画素が有効で、他方の高さ画像の画素が無効な場合は、有効な画素の画素値を用いる。これにより、複数の高さ画像を深度方向に連結するに際して、重複する領域における高さ情報について、欠損した画素を補間した合成高さ画像を得ることができる。
【０１９８】
一方、信頼性指標の高い方を採用して低い方を破棄するのみならず、重み付けを行うこともできる。例えば信頼性指標の高い方の画素値の比重を高く、低い方の画素値の比重を低くするように重み付けを行うことで、より正確な高さ情報を得ることが期待できる。
【０１９９】
あるいは、信頼性指標を用いた重み付け加算平均に基づいて、合成高さ画像の高さ情報を演算してもよい。
（差分）
【０２００】
また、部分的に重なり合う２枚の高さ画像から、所定以上の差分がある画素を抽出することもできる。具体的には、深度測定範囲が重複する領域において、合成処理部２１６が差分として画素を抽出し、この内で信頼性指標が高い画素値を採用するよう構成できる。この場合、合成処理部２１６に、高さ画像同士で所定以上の差分がある画素を抽出する差分画素抽出手段を設けてもよい。
【０２０１】
さらに、深度測定範囲が部分的に重複する高さ画像の合成に際して、高さ情報を選択あるいは演算する条件を、データの差分量に応じて変更することもできる。例えば、データの差分が所定以上の時は信頼性指標の高い方の画素を採用し、所定値以下の場合には、信頼性指標を用いた重み付け加算平均に基づいて、合成高さ画像の高さ情報を演算してもよい。
（連結測定の範囲の設定）
【０２０２】
上述した連結測定を実施する場合、深度測定範囲を決定する方法が幾つか考えられる。例えば、（１）Ｚステージの上限、下限座標をユーザに入力させ、一定の移動ピッチで上下限を含む範囲を測定、連結させる方法；（２）現在のＺステージ高さから上下方向に何段階取得するかをユーザに決定させ、一定の移動ピッチで複数段階の測定を実施、連結する方法等が考えられる。
【０２０３】
しかしながら、このような深度測定範囲決定方法では、いずれも測定の前処理として、深度測定範囲を決定する手順が必要となる。この手順は、手間がかかるのみならず、複数の視野において異なる高さ範囲を指定する場合には、その都度設定が必要となって、非常に操作が煩雑となる問題があった。そこで本実施形態においては、連結測定の範囲を自動で決定可能としている。
（深度測定範囲の設定）
【０２０４】
連結深度測定範囲を自動で決定するために、本実施形態１では深度探索範囲を定義する。まず図２２で示す形状測定装置においては、受光光学系の左右対称な角度から、平行光束として投光光線が測定対象物ＷＫに向かって照射される。ここで、形状測定装置が精度を保証して計測可能な範囲が、深度測定範囲である。深度測定範囲においては、左右からの投光による測定結果を平均又は合成した計測を実施することで、測定の安定化、高精度化が期待できるため、左右からの投光光束の「共通領域」として定義される。
【０２０５】
一方で、左右それぞれから独立して照射される光束のそれぞれにおいては、高精度に設定した深度測定範囲よりも広い高さ範囲で投光光束が照射されている。そこで、撮影視野に収まり、かつこれら左右それぞれの投光光束の和集合領域を深度探索範囲として定義する。これにより、測定には用いることができなくても、測定対象物上の深度測定範囲外の形状における、概略の高さ情報を取得することが可能となる。
（三角測距方式の組み合わせ）
【０２０６】
本実施形態に係る形状測定装置においては、より高精度な測定を実施するために、空間コード法とマルチスリット法、又は空間コード法と正弦波位相シフト法を組み合わせて測定を行っている。しかしながら、深度測定範囲を超えた領域では、光学系の持つ被写界深度の関係で、投影した縞パターンがぼけてしまい、十分な解像度・精度の高さ測定が不可能となる。一方で、空間コード法の比較的低分解能な測定を担う縞パターンは、図１９に示したように、縞そのものの太さが光学系の被写界深度に対して十分太いため、深度測定範囲を超えた領域であっても、大まかな縞形状を保持していることが多い。図１９において円筒状の天面に照射された縞パターンは、深度探索範囲上に位置するため縞がぼけているものの、大まかな縞形状は維持されている。この特性を利用すれば、深度探索範囲内かつ深度測定範囲外の、おおまかな高さ情報を得ることが可能となる。
【０２０７】
なお、本実施例では、空間コード法とマルチスリット法、又は空間コード法と正弦波位相シフト法を組み合わせて測定を行ったが、空間コード法を用いなくても周期が異なる２以上のパターンをそれぞれ位相シフトして投影することにより、空間コード法との組み合わせ測定と同様の効果を得ることもできる。例えば、周期が粗い第一パターンを投影し、位相シフトすることにより測定対象物ＷＫの低分解能な測定を行い、次いで周期が短い第二パターンを投影し、位相シフトすることにより測定対象物ＷＫの高分解能な測定を行い、これらを組み合わせることで絶対値を有する精度の高い測定が可能である。この場合は低分解能な測定の結果を、上記空間コード法の測定結果と同様に取扱うことができる。
（深度拡張モード選択部２５４）
【０２０８】
上述の通り本実施形態に係る形状測定装置においては、Ｚステージ高さを固定した１回の測定を行うワンショット測定機能と、複数のＺステージ高さで測定した結果を結合する深度拡張測定機能を備えている。ここで、深度拡張測定機能として、自動で深度拡張を行う自動深度拡張機能と、手動で深度拡張を行う手動深度拡張測定機能のいずれかを行うことができる。あるいは、これらを切り替え可能とすることもできる。深度拡張測定機能の自動と手動を切り替えるには、深度拡張モード選択部２５４でもって行わせる。
（実施例１：累積画像に基づく自動深度拡張）
【０２０９】
ここで、実施例１に係る自動深度拡張について説明する。深度探索範囲内かつ深度測定範囲外のおおまかな高さ情報から、それらの高さを深度測定範囲内で測定するＺステージ位置を求め、その位置に移動して測定を行うことで、自動的に連結測定の範囲を拡張できる。ここでは図２３に示すように、視野を構成する画素の内で、立体形状データを取得した画素（測定画素）を累積していく。図２３の例では、深度測定範囲ＨＴ１で撮像した画像ＩＧ１では、矩形状の周囲の領域では高さが取得できているものの、中央の楕円の領域では高さが取得できておらず、高さ情報が欠損した画素を持つ画像となっている。そして、深度測定範囲をＨＴ１からＨＴ２に変更して画像ＩＧ２を撮像すると、画像ＩＧ１では高さ未測定であった画素の一部で高さが得られている。同様にして深度測定範囲ＨＴ３で画像ＩＧ３を、深度測定範囲ＨＴ４で画像ＩＧ４を、それぞれ撮像すると、それぞれ欠損してた画素で高さが取得されている。このようにして、深度測定範囲毎に高さが得られた画素を、図２４Ａ〜図２４Ｄに示すように累積していく。例えば図２４Ａでは、画像ＩＧ１を、また図２４Ｂではこの画像ＩＧ１に、画像ＩＧ２で高さ情報の得られた画素を蓄積した蓄積画像を示している。これによって図２４の画像ＩＧ１と比べ、高さ情報の欠損している未測定画素が低減していることが判る。さらに図２４Ｃでは、画像ＩＧ３で高さ情報の得られた画素を蓄積した蓄積画像を示しており、図２４Ｂよりも未測定画素の領域がさらに低減している。そして図２４Ｄでは、画像ＩＧ４で得られた画素を累積して、すべての領域の画素で高さ情報が得られている。このように、取得済み画素を累積した累積画像に基づいて未測定の画素（未測定画素）の有無を判定し、未測定画素が存在する場合は自動で立体形状データの取得を継続していく。そして、視野を構成する画素が測定画素で順次満たされていき、未測定画素がなくなった時点で処理を終了する。
（立体形状データ）
【０２１０】
ここで立体形状データとは、測定対象物の形状をパターン投影法で測定するためのデータであり、必ずしも高さ情報を含むことを要しない。すなわち、高さ情報を未測定のデータであっても、高さ情報を演算可能なデータを含む場合は立体形状データと呼ぶ。
（自動深度拡張の手順）
【０２１１】
このような自動連結の手順を、図２５に示す。まずステップＳ２５０１において、測定を行う。次にステップＳ２５０２において、深度探索範囲内に対応する高さを有する領域があるか否かを判定し、ある場合はステップＳ２５０３に進み、Ｚステージ１４２を、深度探索範囲内に対応する高さを有する領域が測定可能なＺステージ位置に移動させる。この際、既に測定したＺステージ位置は除く。また、候補となるＺステージ位置が複数ある場合は、最も近い位置に移動させる。そしてステップＳ２５０１に戻って、測定などの処理を繰り返す。一方、ステップＳ２５０２において、深度探索範囲内領域がないと判定された場合は、ステップＳ２５０４に進み、測定を終了する。
【０２１２】
このように、Ｚステージ１４２の各位置での測定で、深度探索範囲内で深度測定範囲外の高さ情報を記憶しておく。これにより、移動すべきＺステージ位置が上下両側に存在していても、上下両方向に拡張していくことが可能になる。また、一度測定したＺステージ位置には移動しないようにすることで、測定が無限ループとなる事態を回避できる。
【０２１３】
このような手順により、測定対象物のすべての高さを網羅した連結測定が可能になる。また、Ｚステージ１４２の移動が必要なくなった時点で測定が終了するため、連結測定の合計時間は、常に最小となる。
【０２１４】
また、自動深度拡張に際して、Ｚステージ１４２の上限の高さを設定することもできる。Ｚステージ１４２の上限高さは、自動深度拡張時のＺステージ位置の最高値として形状測定装置側で規定値とする他、ステージ１４０上に載置した測定対象物の高さに応じて、若干のマージンを加味して自動設定させたり、あるいは規定値や自動設定された値をユーザが調整可能としたり、任意の値を指定可能としてもよい。これにより、自動深度拡張時にＺステージが上昇しすぎて、ステージ上の測定対象物がレンズに衝突する事態を回避できる。
（光学系に関する変形例）
【０２１５】
以上の実施形態１に係る形状測定装置では、撮像部を構成する受光部１２０を単眼のカメラとし、また測定対象物の上方に投光部１１０を２つ設けて、左右二方向から投光させる構成について説明したが、本発明は光学系の構成をこれに限定するものでなく、他の光学系を採用することもできる。例えば、受光部として単眼のカメラを用いて、投光部を一方向のみからの投光とすることもできる。あるいは、受光部として単眼カメラに代えて複眼カメラを用いて、一方向から投光させてもよい。
（測定原理に関する変形例）
【０２１６】
また、上述した実施形態１に係る形状測定装置では、測定対象物の三次元形状を測定する測定原理として、グレイコードとマルチスリット投影の三角測距法を採用したが、本発明は測定対象物の三次元形状を測定する測定原理をこれに限定するものでなく、他の方式も適宜利用できる。例えば、正弦波投光による三角測距法や、ランダムパターン投光による三角測距法、ライン光投影とスキャンによる三角測距法等の方法が利用できる。
（測定対象物の移動機構に関する変形例）
【０２１７】
さらに、上述した実施形態１に係る形状測定装置では、Ｚステージ１４２を移動させる機構としてＺステージ１４２を直接移動させる構成を採用しているが、本発明は測定対象物の移動機構をこれに限定するものでなく、他の構成も適宜利用できる。例えば、Ｘ，Ｙ，Ｚの各軸について並進、回転の６つの自由度を持つ移動ステージを用いたり、あるいは手動による自動移動としてもよい。
（測定対象物のワーキングディスタンス調整機構に関する変形例）
【０２１８】
さらに、上述した実施形態１に係る形状測定装置では、Ｚステージ１４２を移動させて測定対象物と受光部１２０とのワーキングディスタンスを調整する構成を採用しているが、本発明はワーキングディスタンスの調整機構をこれに限定するものでなく、他の構成も適宜利用できる。例えば、受光部側を移動させてもよい。
（実施例２：単一高さ画像の端部に基づく自動深度拡張）
【０２１９】
以上の例では、取得済み画素を累積した累積画像に基づいて深度拡張の要否を判定する自動深度拡張の手順を説明した。ただ本発明は、必ずしも画像の高さ方向への深度拡張及び自動連結に際して、過去の画素を累積することを要しない。例えば、単一の高さ画像から深度拡張の要否を判定することもできる。このような例を実施例２として、以下説明する。ここでは図２６に示すように、ある深度測定範囲内で高さ画像を取得する。そして、得られた一枚の高さ画像において、深度測定範囲の端部、すなわちこの深度測定範囲の上限又は下限の何れかに立体形状データを有するか否かを判定する。例えば高さ画像の一方の端部に立体形状データを有する場合は、深度測定範囲の外側に測定対象物が延びている可能性が高いと推定し、さらに深度測定範囲を変えて高さ計測を行う。そして変更後の深度測定範囲においても、同様に端部に立体形状データを有するか否かを判定して、同様に立体形状データを有する場合はさらに深度測定範囲を変えて処理を継続する。一方で、端部に立体形状データが存在しない場合は、この方向への処理を終え、他方の端部に立体形状データが存在するか否かを判定し、同様の処理を行う。そして、両方の端部で立体形状データが存在しない場合は、処理を終了する。なお、上記は一例であり、例えば両方の端部に立体形状データが存在する場合は、一方の端部に深度測定範囲を拡張した後、他方の端部に深度測定範囲を拡張するようにしてもよい。ただしこの方法では、Ｚステージを一方の端部の方向に拡張した後、元の位置に戻って他方の端部の方向に拡張することとなり、Ｚステージの移動量が大きくなる可能性がある。そこで上述の通り、上下何れかの方向に一旦拡張を継続し、その後、他方の方向に拡張するようにすることが好ましい。
（実施例３：単一高さ画像の範囲内に基づく自動深度拡張）
【０２２０】
さらに本発明は、上述した単一の高さ画像の端部に立体形状データが存在するか否かでもって深度測定範囲の拡張の有無を判定する方法に限られず、深度測定範囲内で立体形状データが測定できた画素が存在すれば、深度測定範囲を拡張するようにしてもよい。すなわち、ある深度測定範囲で取得した高さ画像において、深度測定範囲内のいずれか一でも立体形状データが測定できた画素が存在すれば、測定対象物が存在していると推定して、その方向への深度拡張を継続する。この方法であれば、単に高さ画像が立体形状データを含むことのみで判定を行えるため、判定処理を簡単に行える利点が得られる。
（自動深度拡張測定機能を有する形状測定プログラム）
【０２２１】
ここで、自動深度拡張測定機能を形状測定プログラムのユーザインターフェース画面の例を図２７〜図３１に示す。これらの図に示す形状測定プログラムも、画像表示領域４１０と操作領域４２０を備える。画像表示領域４１０は、測定対象物のテクスチャ画像や高さ画像を表示させるための領域である。操作領域４２０は、主に各種の操作をユーザが指示したり、ユーザに対して操作内容の説明や誘導を行うための領域である。図２７等の画面では、左側から画面の大半に画像表示領域４１０を配置し、右側に操作領域４２０を配置している。さらに画像表示領域４１０の上には、撮像条件の設定を行う撮像設定部の一形態として、画像表示領域４１０で表示される画像に対して、倍率表示や焦点調整等を行うための撮像設定領域５１０が配置されている。なおこれらの配置は一例であって、各部材の配置や大きさ等は適宜変更できる。
（観察モード切替部）
【０２２２】
形状測定プログラムから、高さ画像に基づく観察と、テクスチャ画像に基づく観察を行うことができる。観察の切り替えは、観察モード切替部から行う。図２７の例では、観察モード切替部の一形態として、操作領域４２０に「３Ｄ測定」タブ５３１と「画像観察」タブ５３２が設けられており、何れかのタブを選択することで観察モードの切り替えが可能となる。「３Ｄ測定」タブ５３１を選択すると、高さ画像の生成及び生成された高さ画像に基づく計測などの観察が可能となる。一方、「画像観察」タブ５３２を選択すると、テクスチャ画像に基づく計測等の観察が可能となる。
（フルオート観察モード）
【０２２３】
ここで、形状測定プログラムで自動深度拡張測定機能を実行するには、図２７の画面から「フルオート」ボタン５３３を押下する。これにより、フルオート観察モードすなわち自動深度拡張測定モードが選択される。フルオート観察モードでは自動で深度方向への拡張が行われて、画像表示領域４１０に表示される測定対象物の合成高さ画像が取得される。
（マニュアル観察モード）
【０２２４】
一方、形状測定プログラムで手動深度拡張測定機能を実行するには、図２７の画面から「マニュアル」ボタン５３５を押下する。これにより、マニュアル観察モードが選択されて、手動で深度方向への拡張が可能となる。マニュアル観察モードの例を図２８に示す。この例に示すマニュアル観察画面５４０では、操作領域４２０に「Ｚ測定範囲」指定欄５４１、「測定モード」選択欄５４２、「測定方向」指定欄５４３、「測定明るさ」設定欄５４４、「テクスチャ撮影」選択欄５４５が設けられている。
（「Ｚ測定範囲」指定欄５４１）
【０２２５】
「Ｚ測定範囲」指定欄５４１は、深度拡張測定モードを選択する深度拡張モード選択部２５４の一形態をなす。この例では、図２８に示すように「Ｚ測定範囲」指定欄５４１において、ユーザがドロップボックスから「自動」、「測定」、「手動」のいずれかを選択できる。この内「自動」を選択すると、自動で深度拡張測定を実行する自動深度拡張モードとなる。また「手動」を選択すると、ユーザが手動で深度拡張測定を実行する手動深度拡張モードとなる。一方、「測定」を選択すると、所定の深度範囲の測定を行う。いいかえると、深度範囲を拡張せず、形状測定装置で測定可能な所定の高さ範囲で高さ画像を生成する。上述した、Ｚステージ高さを固定した１回の測定を行うワンショット測定機能に相当する。
【０２２６】
「測定モード」選択欄５４２は、測定モードを選択する測定モード選択部２５７の一態様である。測定モードとは、高さ画像の生成に際して撮像される縞画像の撮像条件を調整することで、観察の用途に応じた測定を行えるようにするものであり、予め複数の測定モードが準備されており、ユーザは観察の目的等に応じて所望の測定モードを選択する。「測定モード」選択欄５４２では、複数の測定モードの中からいずれかを指定する。ここでは、図２９に示すようにドロップボックスから「オート」、「スタンダード」、「反射／潜り込み光除去モード」、「高精細（粗さ）」のいずれかを選択できる。
【０２２７】
「オート」を選択すると、複数の測定モードの内から、自動で適切な測定モードが選択されるオード測定モードが選択される。
【０２２８】
「スタンダード」を選択すると、標準的な測定モードであるスタンダード測定モードが選択される。
【０２２９】
「反射／潜り込み除去」を選択すると、投光の反射や潜り込み光の除去に適した反射／潜り込み光除去モードが選択される。この測定モードはファイン測定モード等とも呼ばれ、測定光の投影パターンをスタンダード測定モードよりも細かくしており、潜り込み光や多重反射、乱反射等の間接光成分を排除する測定モードである。この測定モードは、測定対象物が白濁樹脂のような半透明体や、ネジのような凹凸金属体の場合に効果が高い。測定に要する時間は、スタンダード測定モードよりも長くなる。
【０２３０】
「高精細（粗さ）」を選択すると、測定対象物の表面の粗さの測定といった、より高精細な高さ画像を生成する高精細モードが選択される。
【０２３１】
また、他の測定モードを追加してもよい。例えばハレーション除去測定モードは、投影パターンはスタンダードと同じであるが、露光時間又は測定光の投影光量を変化させることで、ダイナミックレンジを拡大して測定する測定モードである。これによって明暗差の激しい対象物で黒潰れや白とびを抑制できる効果が得られる。例えば、金属体に黒樹脂が埋まっているような対象物で効果的となる。測定に要する時間は、スタンダード測定モードよりも長くなる。さらにスーパーファイン測定モードは、上述した反射／潜り込み光除去モードとハレーション除去測定モードの組み合わせであり、最も精度を向上できるが、その分測定に要する時間は最も長くなる。
【０２３２】
「測定方向」指定欄５４３では、投光部１１０を指定する。ここでは、図４で示す第一投光部１１０Ａ、第二投光部１１０Ｂのいずれか又は両方を選択できる。図３０に示す例では、「測定方向」指定欄５４３に設けられたドロップボックスから、「左側のみ」、「右側のみ」、「両方」のいずれかを選択できる。
【０２３３】
「左側のみ」を選択すると、図４の第一投光部１１０Ａが選択されて左側からの投光のみが得られる。「右側のみ」を選択すると、図４の第二投光部１１０Ｂが選択されて右側からのみ投光される。「両方」を選択すると、図４の第一投光部１１０Ａ及び第二投光部１１０Ｂが選択されて、両側から投光される。
【０２３４】
「測定明るさ」設定欄５４４では、画像表示領域４１０で表示される画像の明るさを調整する。テクスチャ画像の明るさは、例えば撮像部である受光部１２０の露光時間やシャッタースピードを調整することで可能となる。また「測定明るさ」設定欄５４４では、テクスチャ画像の明るさの調整を自動で行うオート明るさ調整と、手動で調整するマニュアル明るさ調整を、ラジオボタンで切り替え可能としている。例えば、図３１に示すように「オート」を選択すると、現在画像表示領域４１０で表示されている画像に応じて、自動で適切な明るさに調整される。また「マニュアル」を選択すると、ユーザが手動で画像の明るさを調整できる。ここでは、スライダでもってテクスチャ画像の明るさを調整するよう構成している。また画像表示領域４１０で表示される画像の明るさが、「測定明るさ」設定欄５４４で調整した後の明るさに、リアルタイムに反映される。
（テクスチャ画像選択手段４６０）
【０２３５】
テクスチャ画像選択手段４６０の一形態である「テクスチャ撮影」選択欄５４５では、撮影するテクスチャ画像を選択する。ここでは、「ノーマル」と「ＨＤＲ」をラジオボタンで選択可能としている。「ノーマル」を選択すると、通常のテクスチャ画像を撮影するよう設定される。一方、「ＨＤＲ」を選択すると、ＨＤＲ画像を撮影するよう選択される。また、その他のテクスチャ画像を選択可能としてもよい。例えば深度合成画像を選択可能としてもよい。
（実施例３：手動深度拡張）
【０２３６】
以上の例では、自動で深度拡張と連結測定時を行う例について説明した。ただ本発明は、深度拡張を自動で行う構成に限られず、これを手動で行うこともできる。この手動深度拡張機能を用いて手動で深度拡張を行って、高さの異なる複数の高さ画像から、合成高さ画像を生成する手順を、図３２のフローチャート及び図３３Ａ〜図３３Ｇに基づいて説明する。まずステップＳ３２０１において、合成高さ画像を取得したい測定対象物の光学画像を表示させる。ここではユーザに、測定対象物をＺステージ１４２上に載置させて、光学画像を取得して、表示部４００上に表示させる。一例として、測定対象物を表示させた光学画像Ａを、図３３Ａに示す。このとき、焦点位置の調整はユーザが行ってもよいし、自動で行ってもよい。あるいは焦点位置の調整を行わなくてもよい。自動で焦点位置を調整する方法として、例えば光学画像上の所望の位置でマウスをクリックすると、指定された位置に焦点が合うようにオートフォーカスさせることが挙げられる。
【０２３７】
次にステップＳ３２０２において、高さ画像を取得したい位置を高さ指定位置として指定する。ここではユーザが表示部４００上に表示された光学画像上において、高さ画像を取得したい高さ指定位置を、操作部で指定する。このとき、光学画像は二次元画像であるから、高さ指定位置の指定はＸＹ平面上での指定となる。例えば表示部４００上で所望の位置をクリックすると、このＸＹ位置が有するＺ座標位置が高さ指定位置として記録される。また、高さ指定位置を基準として、自動でオートフォーカスを実行させてもよい。これにより、高さ指定位置の光学画像をより鮮明に表示させることができる。
【０２３８】
次にステップＳ３２０３において、指定された高さ指定位置において高さ画像を生成する。例えばユーザが形状測定プログラムのユーザインターフェース画面上から、高さ画像生成ボタンを押下する。これにより、形状測定装置は指定された高さ指定位置（ＸＹ座標）における高さ情報（Ｚ座標）を取得すると共に、この高さに基づいて所定の深度測定範囲で高さ画像を生成する。一例として、図３３Ａの光学画像Ａ上で指定された高さ指定位置で得られた高さ画像Ｄを、図３３Ｄに示す。なお高さ画像Ｄは、必ずしも表示部上に表示させる必要はなく、非表示としてもよい。ユーザ側に中間の高さ画像の生成作業を意識させることなく、バックグラウンドで処理させることができる。ただ、高さ画像Ｄを表示させてユーザに確認させるようにしてもよい。また、生成された高さ画像Ｄは、後述する合成高さ画像の生成処理に用いるために、一時的に保存される。
【０２３９】
なお、ステップＳ３２０２において高さ指定位置の指定を受け付けると、自動でステップＳ３２０３の高さ画像の生成を実行させてもよい。これにより、ユーザ側の操作の手間を省力化できる。例えば、光学画像上で任意の位置をシングルクリックするとオートフォーカスが働き、ダブルクリックすると高さ画像の取得処理が実行されるようにする。これにより、ユーザは少ない操作で焦点位置の調整と高さ指定位置の指定、及び高さ画像の生成処理を行うことが可能となる。
【０２４０】
次にステップＳ３２０４において、他の高さ指定位置を指定するかどうかを判定する。すなわち、異なる高さで生成された高さ画像を合成するために、必要な数の高さ画像が得られたか否かを判定する。ここではユーザが別の高さ指定位置の指定するか、あるいは高さ指定位置の指定を終えて合成高さ画像の生成に進むかの指示を、形状測定装置側で受け付ける。
【０２４１】
ユーザが高さ画像を追加したい場合、すなわち他の高さ指定位置をさらに指定したい場合は、ステップＳ３２０２に戻り、別の高さ指定位置を指定する。このとき、既に高さ指定位置を指定した光学画像と同じ画像上で高さ指定位置を指定する。いいかえると、光学画像の視野の変更を行わない。合成高さ画像の生成のためには、同じ姿勢の測定対象物に対して、異なる高さの高さ画像を取得する必要があるからである。もし光学画像の視野を変更したい場合は、ステップＳ３２０１に戻って光学画像の表示からやり直す。
【０２４２】
また、別の高さ指定位置の指定に際しては、既に指定した高さ指定位置の高さとは異なる高さを光学画像上で指定する必要がある。このため、光学画像の焦点位置を変更することが好ましい。この際、焦点位置の調整をユーザが手動で行う他、自動で焦点位置を調整するようにしてもよい。例えば上述の通り、ユーザが光学画像上で所望の位置をクリックすると、指定された位置でオートフォーカスが実行される方法が利用できる。一例として、図３３Ａと同じ測定対象物に対して、図３３Ａで指定した高さ指定位置よりも高い位置を高さ指定位置として指定する光学画像Ｂの例を、図３３Ｂに示す。また図３３Ｂよりも高い焦点位置に調整した光学画像Ｃを図３３Ｃに示す。さらに図３３Ｂで指定された高さ指定位置で生成された高さ画像Ｅを図３３Ｅに、図３３Ｃで指定された高さ指定位置で生成された高さ画像Ｆを図３３Ｆに、それぞれ示す。
【０２４３】
このようにユーザは、測定対象物の高さ範囲をすべて含むように、異なる高さ範囲で高さ画像を複数枚取得する必要がある。好ましくは、測定対象物の異なる高さの内で、低い位置から高い位置に、あるいは高い位置から低い位置に、順に高さ指定位置を順次指定していくことが好ましい。このような複数の異なる高さ指定位置を適切に指定できるよう、例えば指定済みの高さ指定位置の高さ情報を表示部４００上の指定済み高さ指定位置表示欄に表示させ、高さ指定位置を追加する度に高さ情報の一覧を更新するようにしてもよい。
【０２４４】
このようにして、追加の高さ指定位置が指定されると、同様にステップＳ３２０３に進んで指定された高さ指定位置で高さ画像を生成し、一時保存する。そしてステップＳ３２０４において、同様に追加の高さ指定位置の要否を判定する。
【０２４５】
このようにして必要な高さ画像がすべて得られたとユーザが判断すると、ステップＳ３２０５に進み、合成高さ画像の生成を指示する。ここでは形状測定装置が、得られた複数枚の高さ画像を深度方向に合成して、より広い深度範囲を有する合成高さ画像を合成処理部２１６でもって生成する。一例として、図３３Ｄの高さ画像Ｄと、図３３Ｅの高さ画像Ｅと、図３３Ｆの高さ画像Ｆとを合成した合成高さ画像Ｇを、図３３Ｇに示す。このようにして、複数の高さ画像が合成されて、形状測定装置で物理的に測定可能な高さ範囲よりも広い高さ範囲の高さ画像を得ることが可能となる。
【０２４６】
また以上の手動深度拡張の手順は、形状測定装置でユーザに対して行うべき手順を案内するようにガイダンス機能を持たせても良い。例えば形状測定プログラムでもって、手動深度拡張を実行させると、ユーザに対して行うべき動作を表示部上に表示させて、行うべき手順を誘導することができる。この方法であれば、形状測定装置の操作に詳しくないユーザであっても、行うべき操作を提示して誘導することで、容易に合成高さ画像を生成することが可能となる。
（Ｚ連結手動設定）
【０２４７】
以上の手動深度拡張機能を実行する手順を、図３４〜図４１のユーザインターフェース画面に従って説明する。まず、図３４に示すように「３Ｄ測定」タブ５３１を選択し、「マニュアル」ボタン５３５を押下して３Ｄ測定画面のマニュアル観察画面５４０を表示させた状態で、「Ｚ測定範囲」指定欄５４１から「手動」を選択して手動深度拡張モードに切り替えて、画像表示領域４１０にテクスチャ画像を表示させる（図３２のステップＳ３２０１）。
【０２４８】
この状態で、テクスチャ画像の焦点位置を調整して、高さ画像を取得したい高さ指定位置を指定する（図３２のステップＳ３２０２）。高さ指定位置は、撮像設定領域５１０の焦点位置表示欄５１６ｂに数値で表示される。
【０２４９】
そして、指定された高さ指定位置を基準にして、高さ画像を生成する（図３２のステップＳ３２０３）。ここでは、図３４の右下に設けられた「測定」ボタン５４６を押下することで、高さ画像の生成を実行させる。
（３Ｄプレビュー画面５５０）
【０２５０】
生成された高さ画像は、図３５に示すように３Ｄプレビュー画面５５０に表示される。ここでは、指定された高さ指定位置から、形状測定装置で測定可能な範囲の高さ画像が表示されている。いいかえると、形状測定装置のハードウェア的な仕様によって、測定対象物の形状によっては、高さ方向の全体をカバーする高さ画像を生成することはできない。図３５の例では、測定対象物の一部の高さ画像ＨＩ１が表示される。ユーザは、画像表示領域４１０に表示された高さ画像ＨＩ１を見て、所望の高さ画像が取得されていれば、画面右下に設けられた「登録」ボタン５５１を押下して、この高さ画像ＨＩ１を保存する。ここでは図１の高さ画像記憶部２４１に保存される。
（テクスチャ画像の取得）
【０２５１】
図３５の３Ｄプレビュー画面５５０では、高さ画像ＨＩ１としてテクスチャ画像を貼り付けた合成画像が表示されている（なお本明細書においては、説明のため３Ｄプレビュー画面５５０で表示されている、高さ画像にテクスチャ画像を合成した合成画像を、単に高さ画像と呼ぶことがある）。テクスチャ画像は、例えば「測定」ボタン５４６を押下することで取得される。すなわちユーザが「測定」ボタン５４６を押下するだけで、高さ画像に加えて、テクスチャ画像も撮像されて保存される。テクスチャ画像の撮像時には、図１の照明光出力部１３０から照明光が照射される。また「登録」ボタン５５１が押下されると、高さ画像の保存と共に、テクスチャ画像も保存される。撮像されたテクスチャ画像は、テクスチャ画像記憶部２４２に保存される。
【０２５２】
なお、保存前の高さ画像やテクスチャ画像、あるいはこれらの合成画像は、３Ｄプレビュー画面５５０で表示させてユーザに確認することが目的である。いいかえると、高精細な画像でなくとも、目視による確認ができれば足りる。このため３Ｄプレビュー画面５５０で表示させる段階では、通常の高さ画像やテクスチャ画像、あるいはこれらの合成画像を生成するよりも、簡易的な条件で生成した簡易高さ画像、簡易テクスチャ画像、簡易合成画像とすることもできる。そしてユーザの確認を経て保存する際に、改めて通常の条件で高さ画像、テクスチャ画像、合成画像を生成し、これらを適宜保存するように構成してもよい。このようにすることで、処理の簡素化、効率化が図られる。
【０２５３】
また３Ｄプレビュー画面５５０においては、上述の通り操作領域４２０に各種の設定部を配置しており、画像表示領域４１０で表示される画像に対する操作を行える。例えば、上段の「３Ｄ」ボタン５５３、「テクスチャ」ボタン５５４、「高さ」ボタン５５５を切り替えることで、合成画像、テクスチャ画像、高さ画像の表示を切り替えることが可能となる。ここで「高さ」ボタン５５５を押下して高さ画像を選択すると、高さに応じて色分けされた高さ画像が表示される。例えば等高線状に、高さの低い領域を青色、高い領域を赤色とし、その中間領域を青→緑→黄→橙→赤等と連続的に変化させるように着色して、視覚的に高さを認識しやすくできる。また画像表示領域４１０の隅部には、高さと着色の関係を示すスケールを表示させることができる。
【０２５４】
さらに３Ｄプレビュー画面５５０の操作領域４２０には、高さ倍率調整欄５５６、テクスチャ調整欄５５７、欠測点表示選択欄５５８、目盛り表示選択欄５５９、３次元計測選択ボタン５６０などが配置されている。高さ倍率調整欄５５６では、高さ方向の拡大率をスライダで調整できる。テクスチャ調整欄５５７では、合成画像に重ねて表示されるテクスチャ画像の透過率を設定できる。欠測点表示選択欄５５８では、高さ画像を構成する画素の内で高さ情報が得られていない欠測点をハイライトして表示させる欠測点表示機能のＯＮ／ＯＦＦを選択する。目盛り表示選択欄５５９では、座標軸に沿って目盛りを表示させる目盛り表示機能のＯＮ／ＯＦＦを選択できる。３次元計測選択ボタン５６０では、三次元計測機能のＯＮ／ＯＦＦを選択できる。また、擬似的な照明光で陰影を強調したり、画像表示領域４１０に表示される高さ画像の精細さを調整する品質調整機能などを付加してもよい。
【０２５５】
以上のようにして、形状測定装置側で高さ画像の生成に必要な作業を効率良く行うことができる。またテクスチャ画像の撮像や保存といった作業は、ユーザ側の指示がなくとも適切なタイミングで自動で行わせることで、使い勝手のよい環境が実現される。
【０２５６】
次に、３Ｄ測定画面に戻って他の高さ指定位置を指定する（図３２のステップＳ３２０４）。ここでは、焦点位置を高い位置に設定して図３６に示す状態とする（図３２のステップＳ３２０２）。図３６においては、焦点位置表示欄５１６ｂにおける焦点位置の値が大きくなっている。この状態で同様に高さ画像を生成し（図３２のステップＳ３２０３）、図３７に示すように３Ｄプレビュー画面５７０に表示させる。図３７で示す高さ画像ＨＩ２の例では、図３５の高さ画像ＨＩ１とは異なる高さ範囲の高さ画像が得られている。
（合成高さ画像生成機能）
【０２５７】
ここで、３Ｄプレビュー画面５７０においては、取得した高さ画像に、保存済みの異なる高さ画像を合成する合成高さ画像生成機能を実行することができる。図３７の例では、画像表示領域４１０の左上に設けられた高さ画像切替部５７１である「シングル」ボタン５７２、「Ｚ連結」ボタン５７３でもって、単独の高さ画像の表示と、合成高さ画像の表示とを切り替え可能としている。図３７では「シングル」ボタン５７２が選択されて、現在生成された高さ画像を表示している。この状態で「Ｚ連結」ボタン５７３を押下すると、図３８の３Ｄプレビュー画面５８０に切り替えられ、図３５の高さ画像ＨＩ１と図３７の高さ画像ＨＩ２を合成した合成高さ画像ＣＨＩ２が、画像表示領域４１０に表示される。この結果、形状測定装置の仕様上の高さ範囲の制約を超えて、より広い高さ範囲の高さ画像を得ることが可能となる。
【０２５８】
図３８の合成高さ画像ＣＨＩ２を、図３５の高さ画像ＨＩ１と比較すると、図３５の高さ画像ＨＩ１では得られていなかった、測定対象物の左下の円柱状の上面が、図３７の高さ画像ＨＩ２を加えることによって補完されていることが判る。これによってユーザは、得られた高さ画像を蓄積することで、所望の領域の高さ情報が得られているかどうかを３Ｄプレビュー画面５８０上から視覚的に確認できる。そして高さ情報が不足している領域、例えば図３８の右上の円形状に欠けた領域の高さ情報を得ようと思えば、３Ｄ測定画面に戻ってこの領域の高さ指定位置を指定し、高さ画像を得ることができる。このように３Ｄプレビュー画面５８０では、取得済みの高さ画像と合成して得られる合成高さ画像に表示内容を更新することができる。
【０２５９】
また次の高さ画像を生成する高さを検討するに際して、上述の通り、現在生成しようとしている高さ画像のみを表示させる高さ画像単独表示（「シングル」表示）と、既に生成された高さ画像を合成した合成高さ画像表示（「Ｚ連結」表示）とを、高さ画像切替部５７１から「シングル」ボタン５７２、「Ｚ連結」ボタン５７３で切り替えて３Ｄプレビュー画面５５０上で表示させることができる。これに加えて、必要に応じて、高さ画像単独表示と合成高さ画像表示とを一画面で並べて表示させるようにしてもよい。例えば図３９に示す３Ｄプレビュー画面５９０では、画像表示領域４１０を二分割して、左側を高さ画像単独表示領域５９１とし、右側に合成高さ画像表示領域５９２としている。このように一画面上で現在生成中の高さ画像と、これを加えた合成高さ画像とを並べて表示させることで、所望の合成高さ画像が得られるかどうかをユーザは視覚的に確認でき、高さ画像を生成する高さ指定位置の指定が正しく行われているかどうかを判断し易くなる。
【０２６０】
このようにして、３Ｄプレビュー画面上で高さ画像として必要な部位を視覚的に確認しながら、高さ画像を追加していくことが可能となる。
【０２６１】
またこの方法であれば、ユーザが高さ情報を求めたい高さに焦点を合わせた状態で、この高さを高さ指定位置として指定することにより、指定された高さを基準にして高さ画像を生成できる。この結果、精度の高い高さ情報を有する高さ画像を生成できる。特に高さ画像を生成する際に撮像する縞画像等の立体形状データについて、この立体形状データを撮像した高さを基準に高さ情報を演算するという原理上、高さ指定位置の近傍ほど高さ情報の精度が高くなる傾向がある。そこで、ユーザが欲しい高さを直接指定させ、この高さを基準に高さ画像を生成し、さらにこれを複数合成することで、ユーザが必要な高さ情報を精度よく取得でき、測定においても有効利用できるという利点が得られる。いいかえると、単純に深度方向に深度測定範囲を変えて順次高さ画像を取得して連結する構成と比べ、必要な部位の高さ情報をより正確に得られるという利点が得られる。
【０２６２】
このようにして、深度拡張により高さ画像の深度方向の制約を解除した観察や測定が実現される。
（合成高さ画像生成機能の実行不可能時の警告）
【０２６３】
なお、合成高さ画像生成機能は、異なる高さ指定位置の高さ画像が既に保存されている場合に実行可能となる。例えば上述した図３５の３Ｄプレビュー画面５５０では、高さ画像が未だ一枚も保存されていないので、合成高さ画像生成機能を実行できない。よってこの画面では「シングル」ボタン５７２、「Ｚ連結」ボタン５７３等の高さ画像切替部５７１を表示させていない。これによって、ユーザは誤って合成高さ画像生成機能を実行することがない。一方、図３７の３Ｄプレビュー画面５７０では、既に高さ画像が保存されているため、高さ画像切替部５７１が表示されている。これによりユーザが、合成高さ画像生成機能を実行できない状態で、誤って高さ画像切替部を操作しようとする誤操作を回避でき、使い易さが高められる。また、合成高さ画像生成機能の禁止は、上述した高さ画像切替部の表示、非表示の切り替えに限られず、他の構成、例えば高さ画像切替部をグレーアウトさせて選択不能とするなど、種々の態様が適宜利用できる。
【０２６４】
このようにして、異なる高さ画像を確認した上で、これを保存する場合は、同様に「登録」ボタン５５１を押下して、処理を継続し、図４０の合成高さ画像ＣＨＩ３が得られる。
【０２６５】
なお合成高さ画像は、必ずしも高さ方向に連続している必要はなく、離散的であってもよい。図４０の合成高さ画像ＣＨＩ３を、異なる方向から見た３Ｄプレビュー画面５５０の例を図４１に示す。この例では、測定対象物の円筒状の部分の中間の高さ画像が得られていない。測定対象物の内で、計測したい部位が含まれておれば、観察や測定の目的は達成できる。このように合成高さ画像は、必ずしも深度方向に連続していることを要さず、離散しているものも含まれる。
【０２６６】
また合成高さ画像の生成や保存は、各高さ画像と個別に行ってもよいし、同時に行ってもよい。例えば、図４０の合成高さ画像を表示させた状態で、「登録」ボタン５５１を押下すると、図４０の合成高さ画像ＣＨＩ３を保存すると共に、他の高さ画像も合わせて保存してもよいし、あるいは高さ画像を図３５、図３７で個別に保存する一方で、これらの高さ指定位置やその他の高さ情報から、図４０の合成高さ画像を構築できるように相対関係のみを保存し、図４０の合成高さ画像を呼び出す際には、図３５、図３７の各高さ画像データと共に、これらの相対関係情報から、合成高さ画像を表示させるように構成してもよい。
【０２６７】
このようにして、手動で深度拡張を行う手動深度拡張機能を実行できる。
【０２６８】
以上のようにして形状測定装置は、高さ情報を有する高さ画像を生成することができる。このようにして得られた測定対象物の三次元の形状に対して、形状測定装置を用いて測定を行うことができる。例えば指定した寸法や高さの測定や、これらの平均値や最大値、最小値、面積、体積の算出等が行える。
【０２６９】
また、ステージ上に載置した測定対象物を同じ姿勢のまま、測定設定として記憶し、連続測定に用いることもできる。例えば、基準品の測定対象物について、これらの値を測定し、測定設定として保存部に保存した後、比較品の測定対象物をステージ上に逐次載せ替えて、基準品の値との比較を行うこともできる。このような比較測定の場合、比較品の測定対象物の値を測定するには、基準品と同じ姿勢で測定する必要がある。すなわち、基準品の測定対象物の高さ画像を取得した際の姿勢と同じ姿勢で、ステージ上に載置する必要がある。このためユーザに対して、ステージ上に測定対象物を置く位置を示すガイドを表示させたり、治具を用いて物理的にガイドする等の方法を用いることが好ましい。
【０２７０】
また、ステージ１４０をＺステージ１４２のみならず、ＸＹステージ１４１も電動で駆動するようにした場合は、ステージ側を移動、回転させて、このステージ上の測定対象物の姿勢を、基準品の測定対象物の姿勢と同じ状態に調整することもできる。この場合、例えば比較品の測定対象物のテクスチャ画像や輪郭画像、高さ画像等を取得し、基準品の測定対象物でパターンマッチングを行い、対応する位置及び姿勢（回転角度など）を求め、得られた位置及び姿勢に比較品の測定対象物を配置するようにＸＹステージ１４１をステージ駆動部で移動させる。この方法であれば、ステージ１４０上に比較品の測定対象物を置く作業を簡素化できる。
（自動画像ＸＹ連結機能）
【０２７１】
また本実施形態に係る形状測定装置によれば、高さ画像等の立体形状データをＸＹ方向に連結する画像連結に際して、各立体形状データを生成する際の測定設定を個別に調整すると共に、この調整作業を自動化することもできる。例えば、受光部の光軸方向と直交する平面であるＸＹ平面において画像を連結するＸＹ連結に際して、図４２に示すように低倍率で撮像した画像、あるいはナビゲーション用の連結マップ画像を広域画像として、この広域画像を複数の部分領域に分割し、各部分領域で生成した立体形状データである高さ画像をＸＹ方向に連結して合成高さ画像を生成する場合を考える。このようなＸＹ平面での画像連結処理において、各部分領域で順に高さ画像を生成するに際して、測定を行う測定設定を設定する必要がある。ここで、測定設定を各部分領域で共通にしてしまうと、十分な精度の高さ画像が得られないことがある。例えば測定対象物が部分的に異なる材質で構成された場合は、投光したパターン光が金属のような光沢面で多重反射されたり、半透明の樹脂の部分ではパターン光が潜り込みを生じる等して、通常の測定では正しい高さ画像が得られないことがある。この場合には、多重反射や光の潜り込みに適した測定設定にて高さ画像を測定する必要があるところ、このような測定では撮像を複数回行う必要があるなど、高さ画像の生成に時間がかかる。このため、すべての部分領域で同じ測定設定として高さ画像を生成すると、トータルでかかる時間が長くなってしまう。同様に測定対象物中に凹凸の起伏が大きい領域と平坦な領域が混在する場合は、凹凸の高低差がある領域ではＺステージを深度方向に駆動させて異なる高さでの撮像を繰り返す必要があるところ、平坦な領域で同様に高さの異なる撮像を繰り返すと、無駄な動作が増える上時間がかかる。また、このような様々な部分領域に対してユーザが手動で適切な測定設定を個別に設定することも考えられるが、この作業は非常に手間がかかるという問題があった。
【０２７２】
さらに一方では、部分領域毎に測定後の立体形状データをユーザに表示させて、ユーザがその部分領域の形状測定をやり直したい場合には、測定設定を変更した上で再度測定を行い、所望の測定結果が得られると、この新たに得られた立体形状データに置き換える方法も考えられる。しかしこの場合であっても、ユーザが測定結果を一々確認して、再測定の必要性を判断しなければならず、手間がかかっていた。また、測定設定をどのように変更すれば所望の測定結果が得られるかについても、容易には判断できないことがあり、更に作業を複雑にしていた。
【０２７３】
そこで本実施形態においては、このような高さ画像等の立体形状データをＸＹ連結して合成立体形状データを生成するに際しての測定設定の調整作業を自動化させることで、容易に視野の広い立体形状データを取得することを可能としている。すなわち、複数の部分領域に対して、設定条件を個別に自動調整可能としてユーザの負担を軽減している。特に、一旦取得した受光データや立体形状データに基づいて、部分領域測定設定を適切な条件に調整すると共に、必要に応じて調整後の各部分領域の測定設定でもって再度立体形状データを生成して、より高品質あるいは高精度な立体形状データを得ることができる。また部分領域毎に調整した各部分領域の測定設定を保存することで、同様の測定対象物の検査を行う際にはこれを読み出して測定設定とすることにより、測定設定の自動調整の工程を省略して処理の簡素化を図ることもできる。
（測定設定自動調整部２１７）
【０２７４】
このような測定設定の自動調整は、図１等で示す測定設定自動調整部２１７で行う。画像ＸＹ連結に際して、測定設定自動調整部２１７は、部分領域測定設定の調整を全自動で行う他、ユーザが測定設定部２５５で設定した測定設定を、測定設定自動調整部２１７で自動で調整したり、あるいは逆に、測定設定自動調整部２１７で自動で調整した測定設定を、ユーザが測定設定部２５５で調整するようにしてもよい。また自動設定に際しても、形状測定装置側で初期値として設定した測定設定を、測定設定自動調整部２１７で調整して調整測定設定とすることもできる。このように測定設定自動調整部２１７は、高さ画像等の立体形状データを生成するための測定設定を完全自動で調整する他、ユーザによる設定を組み合わせた半自動としてもよい。なお測定設定部２５５は、初期の測定設定をユーザが手動で設定するための部材である。ただ測定設定部２５５を、形状測定装置側で予め準備した測定設定の初期設定値を入力する部材としてもよい。そして各部分領域の測定設定は、ユーザが指定した部分領域測定設定、あるいは機器側で用意された初期設定値を、測定設定自動調整部２１７により自動調整された条件である。
（反射光、潜り込み光除去モード）
【０２７５】
ここで、反射光や潜り込み光の存在する場合に、これら除去する測定設定で測定を行う測定モードについて説明する。例えば図４３に示すように、半透明の樹脂製の拡散板を備える測定対象物に対して、一般的な測定設定で測定を行った場合、すなわちパターン光を投光して縞画像から生成された高さ画像の例を、図４４Ａに示す。この図に示すように、通常のスキャンモードでは潜り込み光の影響により、半透明な拡散板部分はうまく測定できず、高さ画像のデータが欠損した状態となる。これに対して、測定モードを反射／潜り込み光除去モードとして測定した高さ画像の例を、図４４Ｂに示す。上述のとおり反射／潜り込み光除去モードにおいては、測定光の投影パターンを通常よりも細かくすることで、間接光成分を低減する。潜り込み光除去モードで測定した結果、図に示すように、半透明な拡散板部分も相当部分で測定ができていることが判る。
【０２７６】
ただ、このような特殊な測定モードは通常よりも処理時間が長くなってしまう。このためすべての部分領域において、あるいはすべてのＸＹ位置において、潜り込み光除去モードで測定すると、測定時間が長大になってしまう。そこで、潜り込み光や多重反射光が多い領域についてだけ、この測定モードを使うようにすることで測定時間を短縮できる。上述の例では、一旦スタンダード測定モードで高さ画像を生成し、図４４Ａに示すように欠損している領域が生じた部分領域においては、部分領域測定設定を測定設定自動調整部２１７で再設定して、高さ画像を生成し直して差し替えることで、図４４Ｂに示すような欠損部分の少ない高さ画像を得ることができる。
【０２７７】
同様に、測定対象物の高低差が大きい領域については、深度範囲を拡張して測定しつつも、高低差が小さい領域では深度範囲を限定して測定を行うことで、測定時間を圧縮して効率良く測定処理を行える。例えば図４４Ａ、図４４Ｂの例において、すべてのＸＹ位置で測定対象物の高さ範囲（図中において矢印で示す範囲）を測定すると時間がかかるところ、測定対象物の外殻の領域のみ（図４２において連結領域の周囲に位置する部分領域）について深度拡張測定モードを行う一方で、それ以外の部分領域（図４２において連結領域の内部に位置する部分領域）ではＺ範囲拡張を行わないことで、測定時間を短縮できる。
（潜り込み光と空隙との判別）
【０２７８】
また測定設定自動調整部２１７は、測定モードの自動選択にあたり、高さ画像の一部に欠損部分が生じている場合に、その原因が潜り込み光によるものか、あるいはそもそも形状自体が欠損しているものなのか（空隙や穴など）を区別する。いいかえると、潜り込み光が原因と判定した場合は、部分領域測定設定を変更した再測定を行うものの、空隙と判定した場合は、再測定を行わない。このような判定方法の一例を、図４５Ａ〜図４５Ｄに基づいて説明する。これらの図において、図４５Ａはある測定対象物の縞画像のイメージ図を、図４５Ｂは図４５Ａの測定対象物の内、金属部分の輝度プロファイルを、図４５Ｃは穴部分の輝度プロファイルを、図４５Ｄは白樹脂部分の輝度プロファイルを、それぞれ示している。この内図４５Ｂに示す金属部分については、輝度プロファイルで明確なピークが表れており、正しく高さ情報を測定できることが判る。一方、図４５Ｃの穴部分と、図４５Ｄの白樹脂部分は、縞画像上ではいずれも黒く、パターン光が得られていない。ただし、図４５Ｃの穴部分では輝度プロファイルのベース部分が殆どゼロであるのに対し、図４５Ｄの樹脂部分ではベース部分に一定の変位（輝度）が得られていることが判る。このように、図４５Ｃ、図４５Ｄ共、輝度プロファイル上でピークが殆ど得られていないものの、ベース部分に輝度信号が得られているか否かでもって、存在しない形状なのか、光の潜り込みによって輝度が得られていないのかを、測定設定自動調整部２１７でもって区別することが可能となる。
【０２７９】
このようにしてＸＹ連結領域が設定された状態で、立体形状データを測定する測定設定を設定する。ここでは、図２８で示したように、深度方向への拡張の有無や範囲を決定する深度拡張測定モードを深度拡張モード選択部２５４で選択し、図２９で示したように、測定モードを測定モード選択部２５７で選択し、図３０で示したように、投光部１１０による測定方向を測定方向指定部で選択し、さらに図３１で示したように、画像表示領域４１０で表示される画像の明るさを測定明るさ設定部で設定する。
【０２８０】
このようにして測定設定が設定された状態で、連結測定の開始する。ここではユーザによる「測定」ボタンの押下を受け付ける。そして測定を実行し、立体形状データを生成すると共に、テクスチャ画像を撮影する。
【０２８１】
次に深度探索範囲内領域があるか否かを判定し、ある場合は、深度探索範囲内領域を測定可能な高さ位置にＺステージを移動させる。この際、既に測定した高さ位置は除く。また高さ位置が複数ある場合は、最も近い高さ位置に移動させて処理を繰り返す。
【０２８２】
一方、深度探索範囲内領域がない場合は、連結領域内のすべての合成画像データが生成されたか否かを判定する。未だの場合、すなわち未測定の部分領域が存在する場合は、ＸＹステージを当該部分領域に移動させた上で、処理を繰り返す。
【０２８３】
そして各部分領域の測定を終えて、連結領域内のすべての合成高さ画像データが生成されたと判定された場合は、生成された合成高さ画像を表示させる。
【０２８４】
このようにして、合成高さ画像をＸＹ連結した広域合成高さ画像を生成することができる。
（部分領域測定設定の自動調整）
【０２８５】
一方、このような広域合成高さ画像の生成に際して、各部分領域毎に部分領域測定設定を自動調整することも可能である。このような広域合成高さ画像の生成手順を、図４６のフローチャートに基づいて説明する。まずステップＳ４６０１において、ステージ１４０上に測定対象物を載置させる。次にステップＳ４６０２において、マップ画像を作成する。さらにステップＳ４６０３において、連続領域の設定を行う。
【０２８６】
次にステップＳ４６０４において、ＸＹステージを所定の部分領域に移動させる。ここでは、平面方向駆動部でもってＸＹステージを、最初に立体形状データを生成する部分領域に移動させる。
【０２８７】
次にステップＳ４６０５において、この部分領域における測定設定を設定する。ここでは、最初に立体形状データを生成する部分領域における測定設定の初期値を設定する。この測定設定は、初期設定値を予め形状測定装置側で指定したり、部分領域の光学画像から測定設定自動調整部２１７が自動で解析したり、あるいはユーザが手動で測定設定を設定してもよい。
【０２８８】
次にステップＳ４６０６において、測定を実行する。ここでは立体形状データ生成部で立体形状データを生成すると共に、テクスチャ画像取得部２１８でテクスチャ画像を撮影する。
【０２８９】
次にステップＳ４６０７において、部分領域測定設定を自動調整する。ここでは測定設定自動調整部２１７が、必要に応じて部分領域測定設定を変更した部分領域の測定設定にする。そしてステップＳ４６０８において、部分領域の測定設定で再度測定する必要があるか否かを判定し、必要と判定された場合はステップＳ４６０６に戻って再度立体形状データを生成する。なお、テクスチャ画像の再撮像は不要である。ここで再測定の必要性の判断は、例えば測定設定自動調整部２１７が、部分領域測定設定を妥当と判断して変更しなかった場合は、再測定の必要なしとする。
【０２９０】
このようにして測定が実行された後、ステップＳ４６０９に進み、未測定の部分領域があるか否かを判定し、存在する場合はステップＳ４６０４に戻って、当該未測定の部分領域への移動や測定を同様に行う。
【０２９１】
そしてすべての部分領域の測定が終了すると、ステップＳ４６１０に進み、得られた立体形状データを合成して合成立体形状データを作成する。
【０２９２】
このようにして、自動で部分領域測定設定を調整し、必要に応じて再測定を行って立体形状データを取得し直し、最終的に広視野の合成立体形状データを高品質で得ることができる。
（ＸＹ連結測定設定の編集）
【０２９３】
また連結測定の完了後に、ユーザは測定結果を確認できる。例えば、得られた広域合成高さ画像を表示部に表示させて、所望の結果が得られているかを視覚的に確認できる。また必要に応じて、各部分領域において分割測定設定を変えて測定をやり直すことができる。この際には、部分領域測定設定を再編集することができる。
【０２９４】
また一部の部分領域でのみ測定し直して得られた高さ画像を用いて、広域合成高さ画像を再生成できる。
【０２９５】
さらに、各部分領域における測定設定を測定設定保存部２４３に保存しておくことで、この測定設定を検査実行時に再利用することができる。例えば測定対象物として、基準品の測定対象物との差分を調べる良品検査を行う場合は、検査の運用時において短時間で正確な結果が得られるよう、基準品の測定対象物から各部分領域の測定設定を設定する作業には長めの時間をかけることができる。これによって検査運用時における迅速かつ精度の高い測定が実行可能となる。
（連続測定モード）
【０２９６】
この場合、立体形状データ生成部は、通常測定モードと、連続測定モードとを切り替え可能とすることができる。通常測定モードは、上述した通り測定設定自動調整部２１７で部分領域毎に部分領域測定設定を変化させて、立体形状データを生成する測定モードである。一方連続測定モードは、測定設定保存部２４３に予め保存された部分領域測定設定を部分領域毎に読み出して、立体形状データを生成する測定モードである。いいかえると、連続測定モードにおいては、部分領域測定設定を自動調整することは行わず、保存済みの部分領域測定設定を読み出して使用することで、処理時間の短縮化を図ることができる。
【０２９７】
例えば図４７の側面図に示すような表面に突起を部分的に備えた測定対象物の測定を行う場合を考える。突起は色が異なり、また測定対象物の表面の一部に半透明の樹脂部部を備えている。このような測定対象物に対して、部分領域Ａ〜Ｄを設定する例を考える。この場合において、各部分領域の部分領域測定設定を、図４８のように予め設定して保存しておく。例えば部分領域Ａと部分領域Ｂとでは、材質の色が異なるため、露光レベル（露光時間や測定光の強度）を異ならせることで、それぞれの縞パターンのコントラストが表現され易くしている。また部分領域Ｂにおいては潜り込み光が発生するため、測定モードを反射／潜り込み光除去モード（ファインモード）としている。さらに部分領域Ｄでは高低差が大きいため、深度拡張測定モードとするようＺ測定範囲を拡大している。このように、各部分領域に適した測定設定に予め設定して保存しておき、多くの測定対象物の検査を行う連続測定モードに際しては測定設定の自動調整を省略して保存済みの測定設定を読み出して使用することにより、処理時間を短縮化させつつも精度の高い測定や検査を行うことが可能となる。
（誘導部）
【０２９８】
連続測定モードにおいては、撮像手段から見て、測定対象物の位置及び姿勢が、保存済みの部分領域測定設定を設定した際の位置及び姿勢である基準姿勢と同じになるように調整する必要がある。このため基準姿勢と同じ位置及び姿勢で測定対象物を配置するようにユーザに促す誘導部を備えてもよい。誘導部は、例えば表示部上に、ユーザに対して測定対象物をステージ１４０に載置する際、基準姿勢と同じ位置及び姿勢で配置するように誘導メッセージを出力する。
（測定対象位置姿勢検出部）
【０２９９】
また、ステージ１４０上に載置された測定対象物の位置及び姿勢を検出する測定対象位置姿勢検出部を設けてもよく、測定設定保存部２４３に保存された部分領域の測定設定の取得時の測定対象物の位置及び姿勢に基づいて、測定対象位置姿勢検出部で検出された測定対象物の位置及び姿勢を、平面方向駆動部を駆動させて調整するよう構成してもよい。
（位置決め治具）
【０３００】
あるいは、位置決め治具を用いて物理的に測定対象物の位置及び姿勢を規制してもよい。位置決め治具でもって、ステージ１４０上に載置された測定対象物の位置及び姿勢を、測定設定保存部２４３に保存された部分領域の測定設定の取得時の測定対象物の位置及び姿勢と一致させる。
【産業上の利用可能性】
【０３０１】
本発明の形状測定装置、形状測定方法、形状測定プログラム及びコンピュータで読み取り可能な記録媒体並びに記録した機器は、三角測距の原理を利用した顕微鏡や計測器、検査装置やデジタイザに好適に利用できる。
【符号の説明】
【０３０２】
１００、１００Ｃ…撮像手段
１０１…上ヘッド
１０２…下ヘッド
１１０…投光部；１１０Ａ…第一投光部；１１０Ｂ…第二投光部
１１１…測定光源
１１２…パターン生成部
１１３〜１１５、１２２、１２３…レンズ
１１６…左右投光レンズ
１２０…受光部
１２０Ａ…低倍率用撮像素子；１２０Ｂ…高倍率用撮像素子
１２１…カメラ
１２１ａ…撮像素子
１２４…プリズム
１２５…二分岐両側テレセントリック受光レンズ
１３０…照明光出力部
１４０…ステージ
１４１…ＸＹステージ
１４２…Ｚステージ
１４３…θステージ
１４４…ステージ操作部；１４４Ｃ…撮像系操作部
１４５…ステージ駆動部；１４５Ｃ…撮像系駆動部
１４６、１４６Ｃ…光軸方向駆動部
１４７…スケールカバー
１４８…ステージ平面方向駆動部
１４９…ベース筐体
１５０…測定制御部
１５１…土台部
１５２…ステージ支持部
１６０、１６０Ｘ…スケールユニット
１６１…センサ移動部
１６２…スケール部
１６３…球状体
１６４…板材
１６５…板状部材
１６７…保持部
２００…制御手段
２１０…ＣＰＵ
２１２…立体形状データ生成部
２１２ｂ…高さ画像生成部
２１２ｃ…形状測定処理部
２１３…三次元画像合成部
２１４…判定処理部
２１５…深度拡張処理部
２１６…合成処理部
２１７…測定設定自動調整部
２１８…テクスチャ画像取得部
２１９…立体形状データ連結部
２２０…ＲＯＭ
２３０…作業用メモリ
２４０…記憶部
２４１…高さ画像記憶部
２４２…テクスチャ画像記憶部
２４３…測定設定保存部
２５０…設定部
２５１…位置指定部
２５２…終了条件設定部
２５３…深度範囲設定部
２５４…深度拡張モード選択部
２５５…測定設定部
２５６…連結領域設定部
２５７…測定モード選択部
３００…光源部
３１０…制御基板
３２０…観察用照明光源
４００…表示部
４１０…画像表示領域
４１６…第一表示領域
４１７…第二表示領域
４２０…操作領域
４２７…「観察画像」ボタン
４２８…「測定画像」ボタン
４５０…操作デバイス
４９０…観察画像撮像条件設定手段
４５０…操作デバイス
５００、５００Ｂ、５００Ｃ…形状測定装置
５１０…撮像設定領域
５１１…カメラ調整欄
５１２…カメラ選択欄
５１３…倍率設定欄
５１４…「カメラ設定」ボタン
５１５…フォーカス設定欄
５１６…フォーカス調整欄；５１６ｂ…焦点位置表示欄
５１７…「オートフォーカス」ボタン
５１９…メンテナンス設定欄；５１９ｂ…「測定調整」ボタン
５３１…「３Ｄ測定」タブ
５３２…「画像観察」タブ
５３３…「フルオート」ボタン
５３５…「マニュアル」ボタン
５４０…マニュアル観察画面
５４１…「Ｚ測定範囲」指定欄
５４２…「測定モード」選択欄
５４３…「測定方向」指定欄
５４４…「測定明るさ」設定欄
５４５…「テクスチャ撮影」選択欄
５４６…「測定」ボタン
５５０…３Ｄプレビュー画面
５５１…「登録」ボタン
５５２…「再測定」ボタン
５５３…「３Ｄ」ボタン
５５４…「テクスチャ」ボタン
５５５…「高さ」ボタン
５５６…高さ倍率調整欄
５５７…テクスチャ調整欄
５５８…欠測点表示選択欄
５５９…目盛り表示選択欄
５６０…３次元計測選択ボタン
５７０…３Ｄプレビュー画面
５７１…高さ画像切替部
５７２…「シングル」ボタン
５７３…「Ｚ連結」ボタン
５８０…３Ｄプレビュー画面
５９０…３Ｄプレビュー画面
５９１…高さ画像単独表示領域
５９２…合成高さ画像表示領域
ＷＫ、ＷＫ２…測定対象物
ＣＨＩ、ＣＨＩ２、ＣＨＩ３…合成高さ画像
ＨＩＡ、ＨＩＢ、ＨＩＣ、ＨＩ１、ＨＩ２…高さ画像
ＯＬ１、ＯＬ２…重複領域
ＨＴ１、ＨＴ２、ＨＴ３、ＨＴ４…深度測定範囲
ＩＧ１、ＩＧ２、ＩＧ３、ＩＧ４…画像
Ｓ１…第一測定画像；Ｓ２…第二測定画像
【図１】
2019190919.tif 000003
【図２】
2019190919.tif 000004
【図３】
2019190919.tif 000005
【図４】
2019190919.tif 000006
【図５】
2019190919.tif 000007
【図６】
2019190919.tif 000008
【図７】
2019190919.tif 000009
【図８】
2019190919.tif 000010
【図９】
2019190919.tif 000011
【図１０】
2019190919.tif 000012
【図１１】
2019190919.tif 000013
【図１２】
2019190919.tif 000014
【図１３】
2019190919.tif 000015
【図１４】
2019190919.tif 000016
【図１５】
2019190919.tif 000017
【図１６】
2019190919.tif 000018
【図１７】
2019190919.tif 000019
【図１８】
2019190919.tif 000020
【図１９】
2019190919.tif 000021
【図２０】
2019190919.tif 000022
【図２１】
2019190919.tif 000023
【図２２】
2019190919.tif 000024
【図２３】
2019190919.tif 000025
【図２４】
2019190919.tif 000026
【図２５】
2019190919.tif 000027
【図２６】
2019190919.tif 000028
【図２７】
2019190919.tif 000029
【図２８】
2019190919.tif 000030
【図２９】
2019190919.tif 000031
【図３０】
2019190919.tif 000032
【図３１】
2019190919.tif 000033
【図３２】
2019190919.tif 000034
【図３３】
2019190919.tif 000035
【図３４】
2019190919.tif 000036
【図３５】
2019190919.tif 000037
【図３６】
2019190919.tif 000038
【図３７】
2019190919.tif 000039
【図３８】
2019190919.tif 000040
【図３９】
2019190919.tif 000041
【図４０】
2019190919.tif 000042
【図４１】
2019190919.tif 000043
【図４２】
2019190919.tif 000044
【図４３】
2019190919.tif 000045
【図４４】
2019190919.tif 000046
【図４５】
2019190919.tif 000047
【図４６】
2019190919.tif 000048
【図４７】
2019190919.tif 000049
【図４８】
2019190919.tif 000050